(57)【特許請求の範囲】
【請求項１】
画像をブロック単位でビットストリームから復号する復号方法であって、
前記画像に含まれる対象ブロックは、前記対象ブロックを含む階層と、前記対象ブロックよりも小さいサイズの複数のサブブロックをそれぞれ含む１以上の階層とに階層化され、
前記復号方法は、
外部システムに対して前記ビットストリームを要求し、
前記外部システムから前記ビットストリームを受信し、
受信した前記ビットストリームのヘッダから、量子化パラメータを伝送する単位である第１サブブロックが属する第１階層の深さを特定する深さ情報を復号し、
前記深さ情報に基づいて、前記第１サブブロックに符号化されている前記量子化パラメータを復号し、
前記量子化パラメータを用いて、前記第１階層、または前記第１階層より深い階層に属する第２サブブロックを復号する復号ステップを含む
復号方法。
【請求項２】
前記ビットストリームのヘッダは、複数の前記ブロックを含むピクチャに対するピクチャヘッダである、
請求項１に記載の復号方法。
【請求項３】
前記復号ステップでは、前記ビットストリームにおいて、前記第２サブブロックの係数の後に配置されている前記量子化パラメータを用いる
請求項１又は２に記載の復号方法。
【請求項４】
画像をブロック単位でビットストリームから復号する復号装置であって、
処理回路と、前記処理回路に接続される通信回路と、前記処理回路に接続される記録部とを備え、
前記画像に含まれる対象ブロックは、前記対象ブロックを含む階層と、前記対象ブロックよりも小さいサイズの複数のサブブロックをそれぞれ含む１以上の階層とに階層化され、
前記通信回路は、
外部システムに対して前記ビットストリームを要求し、
前記外部システムから前記ビットストリームを受信し、
前記処理回路は、
受信した前記ビットストリームのヘッダから、量子化パラメータを伝送する単位である第１サブブロックが属する第１階層の深さを特定する深さ情報を復号し、
前記深さ情報に基づいて、前記第１サブブロックに符号化されている前記量子化パラメータを復号し、
前記量子化パラメータを用いて、前記第１階層、または前記第１階層より深い階層に属する第２サブブロックを復号する、
復号装置。
【請求項５】
請求項１〜３の何れか１項に記載の復号方法を実行することによって、前記ビットストリームをコンピュータに復号させるためのプログラム。
【請求項６】
画像をブロック単位でビットストリームから復号する復号装置であって、
前記画像に含まれる対象ブロックは、前記対象ブロックを含む階層と、前記対象ブロックよりも小さいサイズの複数のサブブロックをそれぞれ含む１以上の階層とに階層化され、
前記復号装置は、
外部システムに対して前記ビットストリームを要求する要求部と、
前記外部システムから前記ビットストリームを受信する受信部と、
受信した前記ビットストリームのヘッダから、量子化パラメータを伝送する単位である第１サブブロックが属する第１階層の深さを特定する深さ情報を復号し、
前記深さ情報に基づいて、前記第１サブブロックに符号化されている前記量子化パラメータを復号し、
前記量子化パラメータを用いて、前記第１階層、または前記第１階層より深い階層に属する第２サブブロックを復号する、復号部と、を備える、
復号装置。
【発明の詳細な説明】
【技術分野】
【０００１】
本発明は、マルチメディアデータに含まれる画像または動画像を符号化する画像符号化方法、および、符号化された画像または動画像を復号する画像復号方法などに関する。
【背景技術】
【０００２】
ＭＰＥＧ−１、ＭＰＥＧ−２、ＭＰＥＧ−４またはＭＰＥＧ−４ ＡＶＣなどの動画像圧縮規格では、通常、圧縮されたピクチャはマクロブロックと呼ばれる矩形単位に分割される。マクロブロックは、通常、複数の画像サンプルである二次元ブロックとして定義される。この複数の画像サンプルは、輝度サンプルに対して幅１６ピクセルおよび高さ１６ピクセルからなる。マクロブロックの圧縮率は、マクロブロックのそれぞれにおいて、量子化スケールパラメータによって制御される。この量子化スケールパラメータは、全ての周波数係数に対して適用される量子化のレベルを定めている。この量子化スケールパラメータは、通常、符号化順で直前のマクロブロックの量子化スケールパラメータとの差分値として符号化され、圧縮されたマクロブロックのヘッダに格納される。【０００３】
例えば、ＭＰＥＧ規格団体による高効率動画像符号化（ＨＥＶＣ）規格などの開発中の新しい動画像規格では、大きな単位にピクチャを分割することによって、圧縮動画像の符号化効率を向上することができるということが提案されている（例えば、非特許文献１参照）。つまり、ピクチャを符号化単位（ＣＵ：Coding Unit）に分割することができ、その符号化単位をマクロブロックよりも大きいサイズにすることができる。例えば、符号化単位は、輝度サンプルに対して１２８×１２８ピクセルからなり、マクロブロックよりも６４倍だけ大きい。【０００４】
また、符号化効率の向上を図るために、大きい符号化単位を、より小さい単位（サブ符号化単位）に分割することができる。符号化単位またはサブ符号化単位は３つの主成分を有する。これらの主成分は、符号化単位ヘッダ、予測単位（ＰＵ：Prediction Unit）および変換単位（ＴＵ：Transform Unit）である。【０００５】
図１は、符号化単位を有する圧縮されたピクチャの構成を示す図である。【０００６】
この図１に示すように、ピクチャＤ１００はヘッダ（以下、ピクチャヘッダという）とボディからなる。ピクチャヘッダは、ピクチャに関するパラメータ（ピクチャパラメータ）を含み、ボディは、ピクチャの複数の圧縮サンプルを含む。また、ボディは符号化単位Ｄ１０２，Ｄ１０４などの複数の符号化単位からなり、それらの符号化単位のうちの幾つかはサブ符号化単位に分割される。例えば、符号化単位Ｄ１０２は複数のサブ符号化単位Ｄ１０６に分割され、さらに、サブ符号化単位Ｄ１０６はより小さい複数のサブ符号化単位Ｄ１０８に分割される。符号化単位Ｄ１０４またはサブ符号化単位Ｄ１０８は３つの主成分を有する。具体的には、符号化単位Ｄ１０４は、３つの主成分として、符号化単位ヘッダＤ１１６、予測単位Ｄ１１８および変換単位Ｄ１２０を有する。サブ符号化単位Ｄ１０８は、３つの主成分として、サブ符号化単位ヘッダＤ１１０、予測単位Ｄ１１２および変換単位Ｄ１１４を有する。図１に示すように、変換単位Ｄ１２０は複数の小さいサブ変換単位Ｄ１２２に分割され、サブ変換単位Ｄ１２２は複数のより小さいサブ変換単位Ｄ１２４に分割される。最も小さい変換単位（サブ変換単位）Ｄ１１４，Ｄ１２４はブロックの量子化された係数を有し、これらの量子化された係数の逆量子化には、量子化スケールパラメータが必要とされる。
【先行技術文献】
【非特許文献】
【０００７】
【非特許文献１】“Test Model under Consideration”Joint Collaborative Team on Video Coding (JCT-VC) of ITU-T SG16 WP3 and ISO/IEC JTC1/SC29/WG11, 2nd Meeting: Geneva, CH, 21-28 July, 2010, Document: JCTVC-B205
【発明の概要】
【発明が解決しようとする課題】
【０００８】
しかしながら、上記非特許文献１の画像復号方法および画像符号化方法では、画質の向上および符号化効率の向上の両立を図ることができないという問題がある。つまり、復号または復号化に必要な量子化スケールパラメータなどのパラメータは、ピクチャＤ１００のボディ全体に対してそのパラメータが適用されるように、ピクチャヘッダに格納される。その結果、サブ符号化単位、予測単位、サブ予測単位、変換単位、またはサブ変換単位などの小さい処理単位ごとに画質を調整することができない。また、常に最小の処理単位ごとにパラメータが適用されるように、各処理単位にパラメータが格納されれば、符号量が多くなってしまう。【０００９】
そこで、本発明は、かかる問題に鑑みてなされたものであって、画質の向上および符号化効率の向上の両立を図ることができる画像復号方法および画像符号化方法を提供することを目的とする。
【課題を解決するための手段】
【００１０】
上記目的を達成するために、本発明の一態様に係る復号方法は、画像をブロック単位でビットストリームから復号する復号方法であって、前記画像に含まれる対象ブロックは、前記対象ブロックを含む階層と、前記対象ブロックよりも小さいサイズの複数のサブブロックをそれぞれ含む１以上の階層とに階層化され、前記復号方法は、外部システムに対して前記ビットストリームを要求し、前記外部システムから前記ビットストリームを受信し、受信した前記ビットストリームのヘッダから、量子化パラメータを伝送する単位である第１サブブロックが属する第１階層の深さを特定する深さ情報を復号し、前記深さ情報に基づいて、前記第１サブブロックに符号化されている前記量子化パラメータを復号し、前記量子化パラメータを用いて、前記第１階層、または前記第１階層より深い階層に属する第２サブブロックを復号する復号ステップを含む。
【００１１】
これにより、処理単位が階層化され、下位の階層にある小さい処理単位にパラメータが格納されている場合には、小さい処理単位ごとに異なるパラメータを適用してそれらの処理単位を復号することができる。その結果、画質を向上することができる。また、復号に必要なパラメータが格納されている処理単位のある階層が、階層深さ情報を解析することによって特定されるため、その階層は最下位の階層に限られることなく、任意の階層に設定されることが可能である。したがって、最下位の階層にある最小の処理単位ごとにパラメータが格納されている場合よりも、符号化ストリームに含まれる全てのパラメータの符号量を抑えることができ、符号化効率を向上することができる。これにより、画質の向上および符号化効率の向上の両立を図ることができる。また、階層深さ情報を解析することによって、パラメータが格納されている処理単位のある階層が特定されるため、パラメータが格納されている処理単位を検索する処理負担を軽減することができる。【００１２】
また、前記符号化ストリームは直交変換および量子化を伴う符号化によって生成され、前記処理単位は、上位から下位に向かって処理単位がより小さくなるように階層化されており、最上位の階層には最も大きい処理単位として符号化単位があり、前記最上位の階層よりも深い下位の階層には前記符号化単位よりも小さい処理単位として変換単位があり、前記パラメータは前記変換単位に適用される量子化パラメータであり、前記階層深さ情報は、前記最上位の階層よりも深い下位の階層を示し、前記量子化パラメータが格納されている処理単位のある階層を特定する際には、前記階層深さ情報により示される階層、または当該階層よりも上位の階層であって前記最上位の階層以外の階層を特定してもよい。【００１３】
これにより、量子化パラメータによる量子化における画質の向上と、量子化パラメータにおける符号化効率の向上の両立を図ることができる。【００１４】
また、前記ヘッダは、前記複数の処理単位からなるピクチャに対するピクチャヘッダであって、前記階層深さ情報は前記ピクチャヘッダに格納されていてもよい。【００１５】
これにより、復号に必要なパラメータが格納されている処理単位のある階層を、ピクチャ全体に対して共通の階層として特定することができる。【００１６】
また、前記処理単位を復号する際には、前記処理単位内において、前記直交変換および量子化によって生成された変換係数の後に配置されている前記量子化パラメータを用いてもよい。【００１７】
これにより、変換係数がある場合にのみ量子化パラメータが格納されているため、変換係数がない場合には量子化パラメータが格納されておらず、符号化効率の向上を図ることができる。【００１８】
また、上記目的を達成するために、本発明の一態様に係る画像符号化方法は、動画像を符号化することにより、複数の処理単位と、前記複数の処理単位に対するヘッダとを含む符号化ストリームを生成する画像符号化方法であって、前記複数の処理単位のうち少なくとも１つの処理単位は、複数のより小さい処理単位に分割されるように、階層化されており、前記画像符号化方法は、前記動画像を符号化し、復号に必要なパラメータが格納されている処理単位のある階層を特定するための階層深さ情報を、前記ヘッダに書き込み、前記階層深さ情報により特定される階層にある前記処理単位に前記パラメータを書き込む。【００１９】
これにより、処理単位が階層化されている場合には、下位の階層にある小さい処理単位ごとに異なるパラメータを書き込むことができる。その結果、画像復号装置では、小さい処理単位ごとに異なるパラメータを適用してそれらの処理単位を復号することができ、その結果、画質を向上することができる。また、復号に必要なパラメータが格納されている処理単位のある階層を特定するための階層深さ情報がヘッダに書き込まれることによって、その階層を画像復号装置に通知することができる。したがって、その階層を最下位の階層に限定することなく、任意の階層に設定することができる。したがって、最下位の階層にある最小の処理単位ごとにパラメータが格納されている場合よりも、符号化ストリームに含まれる全てのパラメータの符号量を抑えることができ、符号化効率を向上することができる。これにより、画質の向上および符号化効率の向上の両立を図ることができる。【００２０】
また、前記動画像を符号化する際には、前記動画像に対して直交変換および量子化を行い、前記処理単位は、上位から下位に向かって処理単位がより小さくなるように階層化されており、最上位の階層には最も大きい処理単位として符号化単位があり、前記最上位の階層よりも深い下位の階層には前記符号化単位よりも小さい処理単位として変換単位があり、前記パラメータは前記変換単位に適用される量子化パラメータであり、前記階層深さ情報は、前記最上位の階層よりも下位の階層を示し、前記量子化パラメータを書き込む際には、前記階層深さ情報により示される階層、または当該階層よりも上位の階層であって前記最上位の階層以外の階層にある処理単位に、前記パラメータを書き込んでもよい。【００２１】
これにより、量子化パラメータによる量子化における画質の向上と、量子化パラメータにおける符号化効率の向上の両立を図ることができる。【００２２】
また、前記ヘッダは、前記複数の処理単位からなるピクチャに対するピクチャヘッダであって、前記階層深さ情報を書き込む際には、前記階層深さ情報を前記ピクチャヘッダに書き込んでもよい。【００２３】
これにより、復号に必要なパラメータが格納されている処理単位のある階層を、ピクチャ全体に対して共通に設定することができる。【００２４】
また、前記量子化パラメータを書き込む際には、前記処理単位内において、前記直交変換および量子化によって生成された変化係数の後に、前記量子化パラメータを書き込んでもよい。【００２５】
これにより、変換係数がある場合にのみ量子化パラメータを書き込むことができ、符号化効率の向上を図ることができる。【００２６】
なお、本発明は、このような画像復号方法および画像符号化方法として実現することができるだけでなく、それらの方法により画像を復号または符号化する装置、集積回路、それらの方法により画像を復号または符号化するプログラム、そのプログラムを格納する記録媒体としても実現することができる。
【発明の効果】
【００２７】
本発明の画像復号方法および画像符号化方法は、画質の向上および符号化効率の向上の両立を図ることができる。
【図面の簡単な説明】
【００２８】
【図１】図１は、従来の符号化ストリームの構成を示す図である。
【図２】図２は、本発明の実施の形態１における画像符号化装置の構成を示すブロック図である。
【図３】図３は、本発明の実施の形態１における画像復号装置の構成を示すブロック図である。
【図４】図４は、多階層ブロック構造を説明するための説明図である。
【図５】図５は、TMuCのソフトウェアによって生成される符号化ストリームの構成を示す図である。
【図６Ａ】図６Ａは、本発明の実施の形態１における符号化ストリームの構成を示す図である。
【図６Ｂ】図６Ｂは、本発明の実施の形態１における符号化ストリームの構成を示す図である。
【図６Ｃ】図６Ｃは、本発明の実施の形態１における符号化ストリームの構成を示す図である。
【図７】図７は、本発明の実施の形態１における他の符号化ストリームの構成を示す図である。
【図８Ａ】図８Ａは、本発明の実施の形態１におけるさらに他の符号化ストリームの構成を示す図である。
【図８Ｂ】図８Ｂは、本発明の実施の形態１におけるさらに他の符号化ストリームの構成を示す図である。
【図９Ａ】図９Ａは、本発明の実施の形態１におけるMax_quantization_unit_hierarchy_depthの格納位置を示す図である。
【図９Ｂ】図９Ｂは、本発明の実施の形態１におけるMax_quantization_unit_hierarchy_depthの格納位置を示す図である。
【図１０Ａ】図１０Ａは、本発明の実施の形態１におけるデルタ量子化スケールパラメータを示す図である。
【図１０Ｂ】図１０Ｂは、本発明の実施の形態１における量子化デッドゾーンオフセットパラメータを示す図である。
【図１０Ｃ】図１０Ｃは、本発明の実施の形態１におけるインデックスを示す図である。
【図１０Ｄ】図１０Ｄは、本発明の実施の形態１における量子化オフセットパラメータを示す図である。
【図１１】図１１は、本発明の実施の形態１における画像復号装置によるデルタＱＰの復号を示すフローチャートである。
【図１２】図１２は、本発明の実施の形態１における画像復号装置によるＱＰの算出を示すフローチャートである。
【図１３】図１３は、本発明の実施の形態１における第１の変形例に係る画像復号装置による復号を示すフローチャートである。
【図１４】図１４は、本発明の実施の形態１における第１の変形例に係る画像符号化装置による符号化を示すフローチャートである。
【図１５Ａ】図１５Ａは、本発明の実施の形態１における第２の変形例に係る画像復号装置による復号を示すフローチャートである。
【図１５Ｂ】図１５Ｂは、本発明の実施の形態１における第２の変形例に係る画像復号装置による復号を示すフローチャートである。
【図１６Ａ】図１６Ａは、本発明の実施の形態１における第２の変形例に係る画像符号化装置による符号化を示すフローチャートである。
【図１６Ｂ】図１６Ｂは、本発明の実施の形態１における第２の変形例に係る画像符号化装置による符号化を示すフローチャートである。
【図１７Ａ】図１７Ａは、本発明の画像復号方法を示すフローチャートである。
【図１７Ｂ】図１７Ｂは、本発明の画像符号化方法を示すフローチャートである。
【図１８Ａ】図１８Ａは、本発明の実施の形態１におけるシーケンスヘッダのシンタックスを示す図である。
【図１８Ｂ】図１８Ｂは、本発明の実施の形態１におけるピクチャヘッダのシンタックスを示す図である。
【図１８Ｃ】図１８Ｃは、本発明の実施の形態１におけるスライスヘッダのシンタックスを示す図である。
【図１９Ａ】図１９Ａは、本発明の実施の形態１における符号化単位（ＣＵ）のシンタックスを示す図である。
【図１９Ｂ】図１９Ｂは、本発明の実施の形態１における予測単位（ＰＵ）のシンタックスを示す図である。
【図１９Ｃ】図１９Ｃは、本発明の実施の形態１における変換単位（ＴＵ）のシンタックスを示す図である。
【図２０】図２０は、コンテンツ配信サービスを実現するコンテンツ供給システムの全体構成図である。
【図２１】図２１は、デジタル放送用システムの全体構成図である。
【図２２】図２２は、テレビの構成例を示すブロック図である。
【図２３】図２３は、光ディスクである記録メディアに情報の読み書きを行う情報再生／記録部の構成例を示すブロック図である。
【図２４】図２４は、光ディスクである記録メディアの構造例を示す図である。
【図２５Ａ】図２５Ａは、携帯電話の一例を示す図である。
【図２５Ｂ】図２５Ｂは、携帯電話の構成例を示すブロック図である。
【図２６】図２６は、多重化データの構成を示す図である。
【図２７】図２７は、各ストリームが多重化データにおいてどのように多重化されているかを模式的に示す図である。
【図２８】図２８は、ＰＥＳパケット列に、ビデオストリームがどのように格納されるかを更に詳しく示した図である。
【図２９】図２９は、多重化データにおけるＴＳパケットとソースパケットの構造を示す図である。
【図３０】図３０は、ＰＭＴのデータ構成を示す図である。
【図３１】図３１は、多重化データ情報の内部構成を示す図である。
【図３２】図３２は、ストリーム属性情報の内部構成を示す図である。
【図３３】図３３は、映像データを識別するステップを示す図である。
【図３４】図３４は、各実施の形態の動画像符号化方法および動画像復号方法を実現する集積回路の構成例を示すブロック図である。
【図３５】図３５は、駆動周波数を切り替える構成を示す図である。
【図３６】図３６は、映像データを識別し、駆動周波数を切り替えるステップを示す図である。
【図３７】図３７は、映像データの規格と駆動周波数を対応づけたルックアップテーブルの一例を示す図である。
【図３８Ａ】図３８Ａは、信号処理部のモジュールを共有化する構成の一例を示す図である。
【図３８Ｂ】図３８Ｂは、信号処理部のモジュールを共有化する構成の他の一例を示す図である。
【発明を実施するための形態】
【００２９】
以下、本発明の実施の形態について図面を用いて説明する。
【００３０】
（実施の形態１）
図２は、本実施の形態における画像符号化装置の構成を示すブロック図である。
【００３１】
画像符号化装置１０００は、符号化処理部１１００と符号化制御部１２００とを備える。
【００３２】
符号化処理部１１００は、動画像をブロックごとに符号化することによって符号化ストリームを生成する。このような符号化処理部１１００は、減算器１１０１、直交変換部１１０２、量子化部１１０３、エントロピー符号化部１１０４、逆量子化部１１０５、逆直交変換部１１０６、加算器１１０７、デブロッキングフィルタ１１０８、メモリ１１０９、面内予測部１１１０、動き補償部１１１１、動き検出部１１１２、およびスイッチ１１１３を備える。
【００３３】
減算器１１０１は、動画像を取得するとともに、スイッチ１１１３から予測画像を取得する。そして、減算器１１０１は、その動画像に含まれる符号化対象ブロックから予測画像を減算することによって差分画像を生成する。
【００３４】
直交変換部１１０２は、減算器１１０１によって生成された差分画像に対して例えば離散コサイン変換などの直交変換を行うことによって、その差分画像を複数の周波数係数からなる係数ブロックに変換する。量子化部１１０３は、その係数ブロックに含まれる各周波数係数を量子化することによって、量子化された係数ブロックを生成する。
【００３５】
エントロピー符号化部１１０４は、量子化部１１０３によって量子化された係数ブロックと、動き検出部１１１２によって検出された動きベクトルとをエントロピー符号化（可変長符号化）することによって符号化ストリームを生成する。
【００３６】
逆量子化部１１０５は、量子化部１１０３によって量子化された係数ブロックを逆量子化する。逆直交変換部１１０６は、その逆量子化された係数ブロックに含まれる各周波数係数に対して逆離散コサイン変換などの逆直交変換を行うことによって、復号差分画像を生成する。
【００３７】
加算器１１０７は、スイッチ１１１３から予測画像を取得し、その予測画像と、逆直交変換部１１０６によって生成された復号差分画像とを加算することによって局所復号画像を生成する。
【００３８】
デブロッキングフィルタ１１０８は、加算器１１０７によって生成された局所復号画像のブロック歪みを除去し、その局所復号画像をメモリ１１０９に格納する。
【００３９】
面内予測部１１１０は、加算器１１０７によって生成された局所復号画像を用いて符号化対象ブロックに対して面内予測を行うことによって予測画像を生成する。
【００４０】
動き検出部１１１２は、動画像に含まれる符号化対象ブロックに対して動きベクトルを検出し、その検出された動きベクトルを動き補償部１１１１とエントロピー符号化部１１０４に出力する。
【００４１】
動き補償部１１１１は、メモリ１１０９に格納されている画像を参照画像として参照するとともに、動き検出部１１１２によって検出された動きベクトルを用いることによって、符号化対象ブロックに対して動き補償を行う。動き補償部１１１１は、このような動き補償によって符号化対象ブロックに対する予測画像を生成する。
【００４２】
スイッチ１１１３は、符号化対象ブロックが面内予測符号化される場合には、面内予測部１１１０によって生成された予測画像を減算器１１０１および加算器１１０７に出力する。一方、スイッチ１１１３は、符号化対象ブロックが画面間予測符号化される場合には、動き補償部１１１１によって生成された予測画像を減算器１１０１および加算器１１０７に出力する。
【００４３】
符号化制御部１２００は、符号化処理部１１００を制御する。具体的には、符号化制御部１２００は、量子化パラメータが格納される処理単位と、その処理単位がある場所を特定するための階層深さ情報とを決定する。量子化パラメータは、量子化部１１０３による量子化および逆量子化部１１０５による逆量子化に用いられるパラメータである。本実施の形態における処理単位は階層化され、何れかの階層の処理単位が上述のブロックに相当する。階層深さ情報は、例えば、量子化パラメータが格納されている処理単位がある階層を特定するためのパラメータである。符号化制御部１２００は、エントロピー符号化部１１０４に対して、量子化パラメータを上述の決定された処理単位に格納するように指示するとともに、階層深さ情報を符号化ストリームのヘッダ（例えばシーケンスヘッダまたはピクチャヘッダ）に格納するように指示する。
【００４４】
図３は、本実施の形態における画像復号装置の構成を示すブロック図である。
【００４５】
画像復号装置２０００は、復号処理部２１００と復号制御部２２００とを備える。
【００４６】
復号処理部２１００は、符号化ストリームをブロックごとに復号することによって復号画像を生成する。このような復号処理部２１００は、エントロピー復号部２１０１、逆量子化部２１０２、逆直交変換部２１０３、加算器２１０４、デブロッキングフィルタ２１０５、メモリ２１０６、面内予測部２１０７、動き補償部２１０８、およびスイッチ２１０９を備える。
【００４７】
エントロピー復号部２１０１は、符号化ストリームを取得し、その符号化ストリームをエントロピー復号（可変長復号）する。
【００４８】
逆量子化部２１０２は、エントロピー復号部２１０１によるエントロピー復号によって生成された、量子化された係数ブロックを逆量子化する。逆直交変換部２１０３は、その逆量子化された係数ブロックに含まれる各周波数係数に対して逆離散コサイン変換などの逆直交変換を行うことによって、復号差分画像を生成する。
【００４９】
加算器２１０４は、スイッチ２１０９から予測画像を取得し、その予測画像と、逆直交変換部２１０３によって生成された復号差分画像とを加算することによって復号画像を生成する。
【００５０】
デブロッキングフィルタ２１０５は、加算器２１０４によって生成された復号画像のブロック歪みを除去し、その復号画像をメモリ２１０６に格納するとともに、その復号画像を出力する。
【００５１】
面内予測部１１１０は、加算器２１０４によって生成された復号画像を用いて復号対象ブロックに対して面内予測を行うことによって予測画像を生成する。
【００５２】
動き補償部２１０８は、メモリ２１０６に格納されている画像を参照画像として参照するとともに、エントロピー復号部２１０１によるエントロピー復号によって生成された動きベクトルを用いることによって、復号対象ブロックに対して動き補償を行う。動き補償部２１０８は、このような動き補償によって復号対象ブロックに対する予測画像を生成する。
【００５３】
スイッチ２１０９は、復号対象ブロックが面内予測符号化されている場合には、面内予測部２１０７によって生成された予測画像を加算器２１０４に出力する。一方、スイッチ２１０９は、復号対象ブロックが画面間予測符号化されている場合には、動き補償部２１０８によって生成された予測画像を加算器２１０４に出力する。
【００５４】
復号制御部２２００は、復号処理部２１００を制御する。具体的には、復号制御部２２００は、エントロピー復号部２１０１によるエントロピー復号の結果に基づいて、符号化ストリームのヘッダ（例えばシーケンスヘッダまたはピクチャヘッダ）に格納されている階層深さ情報を解析する。そして、復号制御部２２００は、その階層深さ情報に基づいて、量子化パラメータが格納されている処理単位の階層を特定し、その階層にある処理単位に含まれる量子化パラメータを解析する。復号制御部２２００は、その解析された量子化パラメータを用いた逆量子化を逆量子化部２１０２に指示する。
【００５５】
図４は、階層化された処理単位（多階層ブロック構造）を説明するための説明図である。
【００５６】
符号化処理部１１００は、動画像を処理単位ごとに符号化し、復号処理部２１００は、符号化ストリームを処理単位ごとに復号する。この処理単位は、複数の小さな処理単位に分割され、その小さな処理単位がさらに複数のより小さな処理単位に分割されるように、階層化されている。なお、処理単位が小さいほど、その処理単位がある階層は深く、下位にあり、その階層を示す値は大きい。逆に、処理単位が大きいほど、その処理単位がある階層は浅く、上位にあり、その階層を示す値は小さい。
【００５７】
処理単位には、符号化単位（ＣＵ）と予測単位（ＰＵ）と変換単位（ＴＵ）とがある。ＣＵは、最大１２８×１２８画素からなるブロックであり、従来のマクロブロックに相当する単位である。ＰＵは、画面間予測の基本単位である。ＴＵは、直交変換の基本単位であり、そのＴＵのサイズはＰＵと同じか、ＰＵよりも一階層小さいサイズである。ＣＵは、例えば４つのサブＣＵに分割され、そのうちの１つのサブＣＵは、そのサブＣＵと同じサイズのＰＵおよびＴＵを含む（この場合、ＰＵとＴＵは互いに重なった状態にある）。例えば、そのＰＵはさらに４つのサブＰＵに分割され、ＴＵもさらに４つのサブＴＵに分割される。なお、処理単位が複数の小さい処理単位に分割される場合、その小さい処理単位をサブ処理単位という。例えば、処理単位がＣＵの場合では、サブ処理単位はサブＣＵであり、処理単位がＰＵの場合では、サブ処理単位はサブＰＵであり、処理単位がＴＵの場合では、サブ処理単位はサブＴＵである。
【００５８】
具体的には、以下のとおりである。
【００５９】
ピクチャはスライスに分割される。スライスは最大符号化単位のシーケンスである。最大符号化単位の位置は、最大符号化単位アドレスｌｃｕＡｄｄｒによって示される。
【００６０】
最大符号化単位を含むそれぞれの符号化単位は、４つの符号化単位に分割される。その結果、符号化単位の大きさの四分木分割が構成される。符号化単位の位置は、最大符号化単位の左上端のサンプル（画素または係数）を起点とした符号化単位インデックスｃｕＩｄｘによって示される。
【００６１】
符号化単位の分割が許可されていない場合、その符号化単位は予測単位として扱われる。符号化単位と同様に、予測単位の位置は、最大符号化単位の左上端のサンプルを起点とした予測単位インデックスｐｕＩｄｘによって示される。
【００６２】
予測単位は複数のパーティション（予測単位パーティションまたはサブＰＵ）を含んでいてもよい。予測単位パーティションは、予測単位の左上端のサンプルを起点とした予測単位パーティションインデックスｐｕＰａｒｔＩｄｘによって示される。
【００６３】
予測単位は複数の変換単位を含んでいてもよい。符号化単位と同様に、変換単位は４つの小さいサイズの変換単位（サブ変換単位）に分割されてもよい。このことは、残差信号の四分木分割を許可する。変換単位の位置は、予測単位の左上端のサンプルを起点とした変換単位インデックスｔｕＩｄｘによって示される。
【００６４】
ここで、各処理単位の定義は以下のとおりである。
【００６５】
ＣＴＢ（coding tree block）：正方形領域の四分木分割を特定するための基本単位。ＣＴＢは正方形の多様なサイズを有する。
【００６６】
ＬＣＴＢ（largest coding tree block）：スライスにおいて許可される最も大きいサイズのＣＴＢ。スライスは重複しない複数のＬＣＴＢからなる。
【００６７】
ＳＣＴＢ（smallest coding tree block）：スライスにおいて許可される最も小さいサイズのＣＴＢ。ＳＣＴＢをより小さいＣＴＢに分割することは許可されていない。
【００６８】
ＰＵ（prediction unit）：予測処理を特定するための基本単位。ＰＵのサイズは、分割が許可されていないＣＵのサイズと同じである。ＣＵでは、ＣＵを４つの正方形領域に分割することが許可されているのに対して、ＰＵでは、ＰＵを任意の形状の複数のパーティションに分割することができる。
【００６９】
ＴＵ（transform unit）：変換および量子化を特定するための基本単位。
【００７０】
ＣＵ（coding unit）：ＣＴＢと同一。
【００７１】
ＬＣＵ（largest coding unit）：最も大きいＣＴＢと同一。
【００７２】
ＳＣＵ（smallest coding unit）：最も小さいＣＴＢと同一。
【００７３】
また、量子化パラメータは、デルタ量子化スケールパラメータ（delta QPまたはQP delta）、量子化オフセットパラメータ、インデックス（Qmatrix select idc）および量子化デッドゾーンオフセットパラメータのうちの少なくとも１つを含む。なお、インデックスは、複数の量子化スケールマトリクスから１つを選択するためのものである。
【００７４】
デルタ量子化スケールパラメータ（delta QP or QP delta）は、変換係数に適用されるべき量子化スケールパラメータと、シーケンスヘッダまたはスライスヘッダで指定される量子化スケールパラメータ（または、Ｚ走査順で直前の量子化スケールパラメータ）との差分である。
【００７５】
量子化オフセットパラメータは、量子化オフセットとも呼ばれ、量子化を行う際の信号の丸め方の調整値（オフセット値）である。したがって、画像符号化装置１０００は、量子化を行うときには、その量子化オフセットを符号化し、画像復号装置２０００は、その符号化された量子化オフセットを復号する。そして、画像復号装置２０００は、変換係数を逆量子化する際には、その量子化オフセットを用いた補正を行う。
【００７６】
インデックス（Qmatrix select idc）は、適応量子化マトリクスとも呼ばれ、複数の量子化スケーリングマトリクスから何れの量子化スケーリングマトリクスを用いるかを示すインデックスである。また、Qmatrix select idcは、１つの量子化スケーリングマトリクスしかない場合には、その量子化スケーリングマトリクスを使うか否かを示す。なお、適応用量子化マトリクスはブロック単位（処理単位）で制御可能である。
【００７７】
量子化デッドゾーンオフセットパラメータは、適応デッドゾーンとも呼ばれ、デッドゾーンをブロック毎に適応的に変更するための制御情報である。デッドゾーンは、周波数係数が量子化によって０となる幅（量子化後に＋１または−１となる直前の幅）である。
【００７８】
図５は、TMuCのソフトウェアによって生成される符号化ストリームの構成を示す図である。
【００７９】
Test Model Under Consideration（TMuC）のソフトウェアによって生成される符号化ストリームでは、デルタＱＰはＬＣＵに格納される。つまり、この符号化ストリームでは、大きな処理単位であるＬＣＵに含まれる全ての係数に対して、デルタＱＰなどの同一の量子化パラメータが適用される。その結果、画像の細部に対して量子化パラメータを調整することができず、画質が低下してしまう。
【００８０】
そこで、本実施の形態の画像符号化装置１０００によって生成され、画像復号装置２０００によって復号される符号化ストリームでは、ＬＣＵよりも深い下位の階層にある処理単位に量子化パラメータが格納される。
【００８１】
図６Ａ、図６Ｂおよび図６Ｃは、本実施の形態における符号化ストリームの構成を示す図である。
【００８２】
図６Ａに示すように、本実施の形態における符号化ストリームでは、ＬＣＵが４つのサブＣＵに分割され、サブＣＵごとに、そのサブＣＵに適用されるデルタＱＰがそのサブＣＵに格納される。つまり、ＬＣＵが１階層目であれば、ＬＣＵから２階層目の下位のＣＵにデルタＱＰが格納される。また、サブＣＵ内において、デルタＱＰはそのサブＣＵに含まれる全ての変換係数の後に配置される。
【００８３】
さらに、本実施の形態における符号化ストリームでは、デルタＱＰが格納されている最下位の処理単位の階層を示す階層深さ情報（Max_quantization_unit_hierarchy_depth）が、シーケンスヘッダに格納される。例えば、Max_quantization_unit_hierarchy_depth=２である。
【００８４】
画像符号化装置１０００は、このような符号化ストリームを生成して出力する。一方、画像復号装置２０００は、符号化ストリームのシーケンスヘッダに格納されている階層深さ情報（Max_quantization_unit_hierarchy_depth）を解析することによって、デルタＱＰが格納されている処理単位（２階層目にあるサブＣＵ）を特定し、その処理単位に格納されているデルタＱＰを解析する。そして、画像復号装置２０００は、そのデルタＱＰを、そのデルタＱＰを格納しているサブＣＵの各変換係数に適用することによって、逆量子化を行う。
【００８５】
また、図６Ｂに示すように、デルタＱＰの代わりにQmatrix select idcが格納されていてもよい。さらに、図６Ｃに示すように、デルタＱＰおよびQmatrix select idcなどを含む量子化パラメータが格納されていてもよい。
【００８６】
図７は、本実施の形態における他の符号化ストリームの構成を示す図である。
【００８７】
図６Ａ〜図６Ｃに示す符号化ストリームでは、量子化パラメータは２階層目にあるサブＣＵに格納されているが、図７に示すように、より深い３階層目（Max_quantization_unit_hierarchy_depth=3）にあるサブＣＵまたはサブＴＵに量子化パラメータが格納されていてもよい。
【００８８】
図８Ａおよび図８Ｂは、本実施の形態におけるさらに他の符号化ストリームの構成を示す図である。
【００８９】
図８Ａに示す符号化ストリームでは、ＴＵまたはサブＴＵに、そのＴＵまたはサブＴＵに適用されるデルタＱＰが格納される。また、ＴＵまたはサブＴＵ内において、デルタＱＰはそのＴＵまたはサブＴＵに含まれる全ての変換係数の後に配置される。
【００９０】
また、図８Ｂに示すように、デルタＱＰ以外の量子化パラメータや、デルタＱＰおよびQmatrix select idcなどを含む量子化パラメータが量子化ユニットとして格納されていてもよい。
【００９１】
図９Ａおよび図９Ｂは、Max_quantization_unit_hierarchy_depthの格納位置を示す図である。
【００９２】
Max_quantization_unit_hierarchy_depth Ｄ３００は、図９Ａに示すように、シーケンスヘッダに格納されている。または、Max_quantization_unit_hierarchy_depth Ｄ３０２は、図９Ｂに示すように、ピクチャヘッダに格納されている。つまり、画像符号化装置１０００は、複数の処理単位からなるピクチャに対するピクチャヘッダに階層深さ情報を書き込む。その結果、そのピクチャヘッダに階層深さ情報が格納される。
【００９３】
図１０Ａ〜図１０Ｄは、量子化パラメータの種類を説明するための説明図である。
【００９４】
量子化パラメータまたは量子化ユニットＤ６００には、図１０Ａ〜図１０Ｄに示すように、デルタ量子化スケールパラメータＤ６０２、量子化デッドゾーンオフセットパラメータＤ６０４、インデックスＤ６０６、および量子化オフセットパラメータＤ６０８のうちの少なくとも１つが含まれる。なお、デルタ量子化スケールパラメータＤ６０２はデルタＱＰであり、インデックスＤ６０６はQmatrix select idc（適応量子化マトリクス）である。
【００９５】
図１１は、画像復号装置２０００によるデルタＱＰの復号を示すフローチャートである。
【００９６】
まず、画像復号装置２０００は、ヘッダに格納されている階層深さ情報（Max_quantization_unit_hierarchy_depth）を復号し（ステップＳ１）、最小の量子化の処理単位（minimum quantization unit）のサイズを決定する（ステップＳ２）。次に、画像復号装置２０００は、復号対象のＣＵがそのサイズであるか否かを判別する（ステップＳ３）。ここで、復号対象のＣＵがminimum quantization unitのサイズであると判別すると（ステップＳ３のＹｅｓ）、画像復号装置２０００は、そのＣＵに格納されているデルタＱＰを復号する（ステップＳ４）。一方、復号対象のＣＵがminimum quantization unitのサイズでないと判別すると（ステップＳ３のＮｏ）、画像復号装置２０００は、さらに、復号対象のＣＵのフラグ（split_coding_unit flag）が０であり、且つ、復号対象のＣＵのサイズがminimum quantization unitのサイズよりも大きいか否かを判別する（ステップＳ５）。なお、上述のsplit_coding_unit flagが０であれば、そのフラグはＣＵをさらに分割することができないことを示し、split_coding_unit flagが１であれば、そのフラグはＣＵをさらに分割することができることを示す。つまり、画像復号装置２０００は、ステップＳ５において、その復号対象のＣＵをさらに分割することができず、且つ、復号対象のＣＵが階層深さ情報によって示される階層よりも上位にあるか否かを判別する。ここで、フラグが０であって復号対象のＣＵのサイズが大きいと判別すると（ステップＳ５のＹｅｓ）、画像復号装置２０００は、その復号対象のＣＵに格納されているデルタＱＰを復号する（ステップＳ６）。
【００９７】
図１２は、画像復号装置２０００によるＱＰ（量子化スケールパラメータ）の算出を示すフローチャートである。
【００９８】
まず、画像復号装置２０００は、４分割された処理単位における各ＴＵのcoded_block_flag（ＣＢＦ）を足し合わせることにより、復号対象のＣＵに含まれる輝度と色差に対するＴＵが符号化されているか否かを決定する（ステップＳ１１およびＳ１２）。なお、各ＴＵには、変換係数があるか否かを示すフラグである上述のcoded_block_flagが格納されている。ここで、符号化されていると判別すると（ステップＳ１２のＹｅｓ）、画像復号装置２０００はＴＵに含まれるデルタＱＰを復号する（ステップＳ１４）。一方、符号化されていないと判別すると（ステップＳ１２のＮｏ）、画像復号装置２０００は、デルタＱＰを０に設定する（ステップＳ１３）。さらに、画像復号装置２０００は、Ｚ走査順で直前のＣＵのＱＰを決定し（ステップＳ１５）、復号対象のＣＵのＱＰを算出する（ステップＳ１６）。
【００９９】
このように本実施の形態における画像符号化装置１０００では、処理単位が階層化されている場合には、下位の階層にある小さい処理単位ごとに異なるパラメータ（例えば、量子化パラメータ）を書き込むことができる。その結果、画像復号装置２０００では、小さい処理単位ごとに異なるパラメータを適用してそれらの処理単位を復号することができ、その結果、画質を向上することができる。また、復号に必要なパラメータが格納されている処理単位のある階層を特定するための階層深さ情報がヘッダに書き込まれることによって、その階層を画像復号装置２０００に通知することができる。したがって、その階層を最下位の階層に限定することなく、任意の階層に設定することができる。したがって、最下位の階層にある最小の処理単位ごとにパラメータが格納されている場合よりも、符号化ストリームに含まれる全てのパラメータの符号量を抑えることができ、符号化効率を向上することができる。これにより、画質の向上および符号化効率の向上の両立を図ることができる。また、画像復号装置２０００は、階層深さ情報を解析することによって、パラメータが格納されている処理単位のある階層を特定するため、パラメータが格納されている処理単位を検索する処理負担を軽減することができ、かつ、画像符号化装置１０００によって生成された符号化ストリームを適切に復号することができる。なお、本実施の形態では、パラメータの一例として量子化パラメータをあげたが、パラメータはどのようなものであってもよい。
【０１００】
（変形例１）
図１３は、本実施の形態における第１の変形例に係る画像復号装置２０００による復号を示すフローチャートである。
【０１０１】
画像復号装置２０００は、まず、ピクチャヘッダに格納されている階層深さ情報（Max_quantization_unit_hierarchy_depth）を解析し（ステップＳ７００）、ＣＵのフラグを解析する（ステップＳ７０２）。次に、画像復号装置２０００は、その解析されたフラグに基づいてＣＵをより小さい複数のサブＣＵに分割する（ステップＳ７０４）。そして、画像復号装置２０００は、そのサブＣＵの階層を決定し（ステップＳ７０６）、その決定された階層が、Max_quantization_unit_hierarchy_depthによって示される階層に一致するか否かを判別する（ステップＳ７０８）。
【０１０２】
ここで、一致すると判別すると（ステップＳ７０８のＹｅｓ）、画像復号装置２０００は、そのサブＣＵに格納されている量子化パラメータを解析し（ステップＳ７１０）、その解析された量子化パラメータによる逆量子化を行うことによって、そのサブＣＵを復号する（ステップＳ７１２）。
【０１０３】
一方、ステップＳ７０８で一致しないと判別すると（ステップＳ７０８のＮｏ）、画像復号装置２０００は、そのサブＣＵを４つのより小さいサブＣＵにさらに分割することができないかを、上述の解析されたフラグに基づいて判別する（ステップＳ７１４）。ここで、できないと判別すると（ステップＳ７１４のＹｅｓ）、画像復号装置２０００は、そのサブＣＵに対して上述のステップＳ７１０およびＳ７１２の処理を実行する。一方、できると判別すると（ステップＳ７１４のＮｏ）、画像復号装置２０００は、それらの４つのより小さいサブＣＵの中から何れか１つのサブＣＵを選択し（ステップＳ７１６）、その選択されたサブＣＵに対してステップＳ７０６からの処理を実行する。
【０１０４】
図１４は、本実施の形態における第１の変形例に係る画像符号化装置１０００による符号化を示すフローチャートである。
【０１０５】
画像符号化装置１０００は、まず、階層深さ情報（Max_quantization_unit_hierarchy_depth）をピクチャヘッダに書き込み（ステップＳ８００）、ＣＵを分割するための最適なサイズを決定する（ステップＳ８０２）。次に、画像符号化装置１０００は、その決定されたサイズの処理単位にＣＵを分割するためのフラグをそのＣＵに書き込む（ステップＳ８０４）。そして、画像符号化装置１０００は、符号化対象の処理単位（ＣＵまたはサブＣＵ）の階層を決定し（ステップＳ８０６）、その決定された階層が、先に書き込まれたMax_quantization_unit_hierarchy_depthによって示される階層に一致するか否かを判別する（ステップＳ８０８）。
【０１０６】
ここで、一致すると判別すると（ステップＳ８０８のＹｅｓ）、画像符号化装置１０００は、その処理単位（ＣＵまたはサブＣＵ）に量子化パラメータを書き込み（ステップＳ８１０）、その書き込まれた量子化パラメータによる量子化を行うことによって、その処理単位を符号化する（ステップＳ８１２）。さらに、画像符号化装置１０００は、その書き込まれた量子化パラメータによる逆量子化を行うことによって、その符号化された処理単位を復号する（ステップＳ８１４）。
【０１０７】
一方、ステップＳ８０８で一致しないと判別すると（ステップＳ８０８のＮｏ）、画像符号化装置１０００は、その処理単位を４つのより小さいサブＣＵにさらに分割することができないかを、上述のフラグに基づいて判別する（ステップＳ８１６）。ここで、できないと判別すると（ステップＳ８１６のＹｅｓ）、画像符号化装置１０００は、その処理単位に対して上述のステップＳ８１０からの処理を実行する。一方、できると判別すると（ステップＳ８１６のＮｏ）、画像符号化装置１０００は、それらの４つのより小さいサブＣＵの中から何れか１つのサブＣＵを選択し（ステップＳ８１８）、その選択されたサブＣＵに対してステップＳ８０６からの処理を実行する。
【０１０８】
（変形例２）
図１５Ａおよび図１５Ｂは、本実施の形態における第２の変形例に係る画像復号装置２０００による復号を示すフローチャートである。
【０１０９】
画像復号装置２０００は、まず、ピクチャヘッダに格納されている階層深さ情報（Max_quantization_unit_hierarchy_depth）を解析し（ステップＳ９００）、ＣＵのフラグを解析する（ステップＳ９０２）。次に、画像復号装置２０００は、その解析されたフラグに基づいてＣＵをより小さい複数のサブＣＵに分割する（ステップＳ９０４）。そして、画像復号装置２０００は、そのサブＣＵの階層を決定し（ステップＳ９０６）、その決定された階層が、Max_quantization_unit_hierarchy_depthによって示される階層に一致するか否かを判別する（ステップＳ９０８）。
【０１１０】
ここで、一致すると判別すると（ステップＳ９０８のＹｅｓ）、画像復号装置２０００は、そのサブＣＵ（処理単位）に格納されている量子化パラメータを解析し（ステップＳ９１０）、その解析された量子化パラメータによる逆量子化を行うことによって、そのサブＣＵ（処理単位）を復号する（ステップＳ９１２）。
【０１１１】
一方、ステップＳ９０８で一致しないと判別すると（ステップＳ９０８のＮｏ）、画像復号装置２０００は、そのサブＣＵを４つのより小さいサブＣＵにさらに分割することができないかを、上述の解析されたフラグに基づいて判別する（ステップＳ９１４）。ここで、できると判別すると（ステップＳ９１４のＮｏ）、画像復号装置２０００は、それらの４つのより小さいサブＣＵの中から何れか１つのサブＣＵを選択し（ステップＳ９２８）、その選択されたサブＣＵに対してステップＳ９０６からの処理を実行する。
【０１１２】
一方、ステップＳ９１４で、できないと判別すると（ステップＳ９１４のＹｅｓ）、画像復号装置２０００は、サブＣＵ内のＴＵにある変換分割フラグを解析し（ステップＳ９１６）、その解析された変換分割フラグに基づいて、ＴＵをより小さい処理単位である複数のサブＴＵに分割する（ステップＳ９１８）。さらに、画像復号装置２０００は、そのサブＴＵに対してＬＣＵからの階層を決定し（ステップＳ９２０）、その決定された階層が、Max_quantization_unit_hierarchy_depthによって示される階層に一致するか否かを判別する（ステップＳ９２２）。
【０１１３】
ここで、一致すると判別すると（ステップＳ９２２のＹｅｓ）、画像復号装置２０００は、そのサブＴＵに対してステップＳ９１０からの処理を実行する。一方、ステップＳ９２２で一致しないと判別すると（ステップＳ９２２のＮｏ）、画像復号装置２０００は、そのサブＴＵを４つのより小さいサブＴＵにさらに分割することができないかを、上述の解析された変換分割フラグに基づいて判別する（ステップＳ９２６）。ここで、できると判別すると（ステップＳ９２６のＮｏ）、画像復号装置２０００は、それらの４つのより小さいサブＴＵの中から何れか１つのサブＴＵを選択し（ステップＳ９２４）、その選択されたサブＴＵに対してステップＳ９２０からの処理を実行する。一方、できないと判別すると（ステップＳ９２６のＹｅｓ）、画像復号装置２０００は、ステップＳ９１０からの処理を実行する。
【０１１４】
図１６Ａおよび図１６Ｂは、本実施の形態における第２の変形例に係る画像符号化装置１０００による符号化を示すフローチャートである。
【０１１５】
画像符号化装置１０００は、まず、階層深さ情報（Max_quantization_unit_hierarchy_depth）をピクチャヘッダに書き込み（ステップＳ１０００）、ＣＵを分割するための最適なサイズを決定する（ステップＳ１００２）。次に、画像符号化装置１０００は、その決定されたサイズの処理単位にＣＵを分割するためのフラグをそのＣＵに書き込む（ステップＳ１００４）。そして、画像符号化装置１０００は、符号化対象の処理単位（ＣＵまたはサブＣＵ）の階層を決定し（ステップＳ１００６）、その決定された階層が、先に書き込まれたMax_quantization_unit_hierarchy_depthによって示される階層に一致するか否かを判別する（ステップＳ１００８）。
【０１１６】
ここで、一致すると判別すると（ステップＳ１００８のＹｅｓ）、画像符号化装置１０００は、その処理単位（ＣＵまたはサブＣＵ）に量子化パラメータを書き込み（ステップＳ１０１０）、その書き込まれた量子化パラメータによる量子化を行うことによって、その処理単位を符号化する（ステップＳ１０３０）。さらに、画像符号化装置１０００は、その書き込まれた量子化パラメータによる逆量子化を行うことによって、その符号化された処理単位を復号する（ステップＳ１０１２）。
【０１１７】
一方、ステップＳ１００８で一致しないと判別すると（ステップＳ１００８のＮｏ）、画像符号化装置１０００は、その処理単位を４つのより小さいサブＣＵにさらに分割することができないかを、上述のフラグに基づいて判別する（ステップＳ１０１４）。ここで、できると判別すると（ステップＳ１０１４のＮｏ）、画像符号化装置１０００は、それらの４つのより小さいサブＣＵの中から何れか１つのサブＣＵを選択し（ステップＳ１０２８）、その選択されたサブＣＵに対してステップＳ１００６からの処理を実行する。
【０１１８】
一方、ステップＳ１０１４で、できないと判別すると（ステップＳ１０１４のＹｅｓ）、画像符号化装置１０００は、処理単位（ＣＵまたはサブＣＵ）内のＴＵを分割するための最適なサイズを決定し（ステップＳ１０１６）、その決定されたサイズの処理単位にＴＵを分割するためのフラグ（変換分割フラグ）をそのＴＵに書き込む（ステップＳ１０１８）。次に、画像符号化装置１０００は、符号化対象の処理単位（ＴＵまたはサブＴＵ）に対してＬＣＵからの階層を決定し（ステップＳ１０２０）、その決定された階層が、先に書き込まれたMax_quantization_unit_hierarchy_depthによって示される階層に一致するか否かを判別する（ステップＳ１００２２）。
【０１１９】
ここで、一致すると判別すると（ステップＳ１０２２のＹｅｓ）、画像符号化装置１０００は、その処理単位（ＴＵまたはサブＴＵ）に対してステップＳ１０１０からの処理を実行する（ステップＳ１０１０）。一方、ステップＳ１０２２で一致しないと判別すると（ステップＳ１０２２のＮｏ）、画像符号化装置１０００は、その処理単位（ＴＵまたはサブＴＵ）を４つのより小さいサブＴＵにさらに分割することができないかを、上述の変換分割フラグに基づいて判別する（ステップＳ１０２６）。ここで、できると判別すると（ステップＳ１０２６のＮｏ）、画像符号化装置１０００は、それらの４つのより小さいサブＴＵの中から何れか１つのサブＴＵを選択し（ステップＳ１０２４）、その選択されたサブＴＵに対してステップＳ１０２０からの処理を実行する。一方、ステップＳ１０２６で、できないと判別すると（ステップＳ１０２６のＹｅｓ）、画像符号化装置１０００は、ステップＳ１０１０からの処理を実行する。つまり、画像符号化装置１０００は、その処理単位（ＴＵまたはサブＴＵ）に量子化パラメータを書き込み（ステップＳ１０１０）、その書き込まれた量子化パラメータによる量子化を行うことによって、その処理単位を符号化する（ステップＳ１０３０）。さらに、画像符号化装置１０００は、その書き込まれた量子化パラメータによる逆量子化を行うことによって、その符号化された処理単位を復号する（ステップＳ１０１２）。
【０１２０】
ここで、本発明における課題および解決手段は、以下のとおりであるともいえる。
【０１２１】
つまり、ピクチャを大きな符号化単位に分割することによって、符号化効率を向上することができる。しかし、量子化パラメータが、大きな符号化単位に対して設定されると、その符号化単位が大きいサイズであるために、画像符号化装置において、ピクチャのサイズを調整する柔軟性が失われる。量子化パラメータは、量子化スケールパラメータ、量子化オフセットパラメータ、およびインデックスのうちの少なくとも１つを含む。なお、インデックスは、複数の量子化スケールマトリクスの中から１つの量子化スケールマトリクスを選択するためのものである。
【０１２２】
例えば、テレビ会議や防犯カメラなどの低遅延が要求されるビデオ機器では、１つのピクチャの最大サイズを調整可能であることが、動画像の符号化および復号化に要求される重要な特徴である。これにより、ピクチャの最も小さい単位で量子化パラメータを調整することが必要である。一方、その他のビデオ機器では、上述のような特徴は要求されず、それらの量子化パラメータを送信するためのオーバーヘッドを低減することによって符号化効率の向上を図ることができる。
【０１２３】
ここで、符号化単位、予測単位および変換単位はＨＥＶＣ規格の基本単位である。量子化スケールパラメータであるＱＰは、差分値（デルタ値）の逆スケーリング処理のために使われるパラメータであり、符号化単位のレベルで送信される。ＨＥＶＣのＴＭｕＣ（Test Model Under Consideration）仕様では、そのデルタ量子化スケールパラメータは送信されない。しかし、ソフトウェアでは、デルタ量子化スケールパラメータは最も大きな符号化単位の量子化の最後に送信される。しかしながら、予測単位であるＰＵがスキップされると、符号化単位であるＣＵの深さが０であり、Ｙブロック、ＵブロックおよびＶブロックは符号化されない。
【０１２４】
つまり、以下のような２つの課題（課題１および２）がある。
【０１２５】
課題１：符号化デルタ量子化スケールパラメータが、最大符号化単位のレベルだけに制限されている。低遅延または定ビットレートのビデオ機器には、符号化単位ごとにビットを調整することは難しいかもしれない。言い換えれば、ＴＭｕＣ仕様およびソフトウェアにおいては、情報の格納位置に対する制限が厳しく、量子化パラメータを最大ＣＵ単位でしか伝送することができない。その結果、より小さい単位（処理単位）で量子化パラメータをコントロールすることができない。
【０１２６】
課題２：変換単位であるＴＵが符号化されないときには、量子化パラメータは必要とされない。しかし、現在の技術では、ＴＵとＰＵがスキップされる場合だけをチェックしている。ＴＵとＰＵは分離されているため、ＱＰデルタの送信はＴＵのみに依存する。 また、変換係数（空間領域の画像が直交変換および量子化されて生成された係数）がないような場合でも、その変換係数に対して不要な量子化パラメータを伝送する必要がある。その結果、符号化された画像を示す符号化ストリームが冗長になってしまう。
【０１２７】
上記課題を解決するために、最大符号化単位ごとに量子化パラメータを送信する新しい方法を提供する。この送信方法では、画像符号化装置において、ブロックの細かいレート制御の機能性と、高い符号化効率とを両立するために、符号化単位に量子化パラメータが含まれて送信されるレベルを選択することができる。
【０１２８】
この発明の新しい点は、データレートのより良い制御のために、ピクチャの最大符号化単位における量子化パラメータの位置を決定するという、画像符号化装置におけるより高い柔軟性または機能性である。この機能性は、従来にはなく、最大符号化単位および量子化パラメータを用いることと組み合せることによって、符号化動画像の画質向上を図ることができる。この発明の新しい点は、符号化単位における量子化パラメータの位置である。特に、従来では、例えばマクロブロックなどの符号化単位のヘッダに量子化パラメータが含まれる。しかしながら、本発明では、量子化パラメータは、ブロックに関する予測および差分情報が符号化された後に、符号化単位の最後に符号化される。
【０１２９】
つまり、上述の課題１および課題２に対しては、以下のような解決手段（解決手段１および解決手段２）が考えられる。
【０１３０】
解決手段１：小さいＣＵレベルでデルタＱＰを送信するために、ヘッダ（シーケンスパラメータセット／ピクチャパラメータセット／スライスヘッダ）に階層深さ情報を挿入する。つまり、画像符号化装置は、最大ＣＵよりも深い階層にある小さい単位（処理単位）に量子化パラメータを格納し、その処理単位がある階層（階層の深さ）を特定するための階層深さ情報をシーケンスヘッダまたはピクチャヘッダなどのヘッダに格納する。画像復号装置は、そのヘッダにある階層深さ情報を解析して階層（階層の深さ）を特定し、その特定された階層にある処理単位に格納されている量子化パラメータを解析する。ここで、階層深さ情報は、量子化パラメータを格納している処理単位が存在し得る最も深い（最も下位にある）階層を示していてもよい。この場合、画像復号装置は、その階層深さ情報によって示される最下位の階層、またはその階層よりも上位の階層であって最上位の階層以外の階層を特定する。また、階層深さ情報は、予め定められた階層のＣＵ（例えば、最下位の階層にあるＣＵ）に量子化パラメータが格納されているか否かを示すフラグであってもよい。
【０１３１】
解決手段２：デルタＱＰの送信をスキップするために、ＴＵ符号化ブロックフラグまたはパターンをチェックする新しい条件を導入する。また、画像符号化装置は、量子化パラメータを伝送する際には、ＴＵ内の最後に量子化パラメータを配置する。これにより、画像復号装置は、量子化パラメータが不要の場合（例えば変換係数がない場合）を判断することができる。その結果、画像符号化装置は不要な量子化パラメータを伝送する必要が無く、符号量を削減することができる。
【０１３２】
以上、本発明の画像復号方法および画像符号化方法について、上記実施の形態およびその変形例を用いて説明したが、本発明はこれらに限定されるものではない。
【０１３３】
例えば、上記実施の形態１およびその変形例における画像復号方法では、図１１のステップＳ３およびＳ５などの処理を含んでいるが、本発明はそれらの処理がなくても、上述の効果を奏することができる。
【０１３４】
図１７Ａは、本発明の画像復号方法を示すフローチャートである。
【０１３５】
本発明の画像復号方法は、動画像を符号化することによって生成された、複数の処理単位と、その複数の処理単位に対するヘッダとを含む符号化ストリームを復号する画像復号方法である。ここで、その複数の処理単位のうち少なくとも１つの処理単位は、複数のより小さい処理単位に分割されるように、階層化されている。この画像復号方法では、まず、ヘッダに格納されている階層深さ情報を解析することによって、復号に必要なパラメータが格納されている処理単位のある階層を特定する（ステップＳ１０１）。次に、特定された階層にある処理単位に格納されているパラメータを用いて、その処理単位を復号する（ステップＳ１０２）。
【０１３６】
このような、ステップＳ１０１およびＳ１０２の処理を行うことによって、実施の形態１と同様の効果を奏することができ、その他の処理は本発明において必須の処理ではない。また、本発明の画像復号装置は、ステップＳ１０１およびＳ１０２のそれぞれの処理を実行する構成要素を備えることによって、実施の形態１と同様の効果を奏することができ、その他の構成要素は本発明において必須の構成要素ではない。なお、実施の形態１の画像復号装置２０００では、復号制御部２２００がステップＳ１０１の処理を実行し、復号処理部２１００がステップＳ１０２の処理を実行する。
【０１３７】
また、上記実施の形態１およびその変形例における画像符号化方法では、図１４のステップＳ８０４などの処理を含んでいるが、本発明はそのような処理がなくても、上述の効果を奏することができる。
【０１３８】
図１７Ｂは、本発明の画像符号化方法を示すフローチャートである。
【０１３９】
本発明の画像符号化方法は、動画像を符号化することにより、複数の処理単位と、その複数の処理単位に対するヘッダとを含む符号化ストリームを生成する画像符号化方法である。ここで、その複数の処理単位のうち少なくとも１つの処理単位は、複数のより小さい処理単位に分割されるように、階層化されている。この画像符号化方法では、まず、動画像を符号化する（ステップＳ１１１）。次に、復号に必要なパラメータが格納されている処理単位のある階層を特定するための階層深さ情報を、そのヘッダに書き込む（ステップＳ１１２）。さらに、階層深さ情報により特定される階層にある処理単位に、そのパラメータを書き込む（ステップＳ１１３）。
【０１４０】
このような、ステップＳ１１１〜Ｓ１１３の処理を行うことによって、実施の形態１と同様の効果を奏することができ、その他の処理は本発明において必須の処理ではない。また、本発明の画像符号化装置は、ステップＳ１１１〜Ｓ１１３のそれぞれの処理を実行する構成要素を備えることによって、実施の形態１と同様の効果を奏することができ、その他の構成要素は本発明において必須の構成要素ではない。なお、実施の形態１の画像符号化装置１０００では、符号化制御部１２００による制御に基づいてエントロピー符号化部１１０４がステップＳ１１１〜Ｓ１１３の処理を実行する。
【０１４１】
なお、本発明に関連するヘッダのシンタックスは、図１８Ａ〜図１８Ｃに示すとおりであり、本発明に関連する処理単位（ＣＵ、ＰＵおよびＴＵ）のシンタックスは、図１９Ａ〜図１９Ｃに示すとおりである。
【０１４２】
図１８Ａは、シーケンスヘッダのシンタックスを示す図である。このシーケンスヘッダでは、例えば、参照し得る最大の参照フレーム数（max_num_ref_frames）、およびピクチャのサイズ（pic_widht_in_luma_samples, pic_height_in_luma_samples）などが規定されている。
【０１４３】
図１８Ｂは、ピクチャヘッダのシンタックスを示す図である。このピクチャヘッダでは、シンタックスの一部ｄ１に示すように、参照方向（前方向および後方向）ごとに参照インデックスを保持し得る数が規定されているとともに、初期ＱＰ（初期ＱＰから２６を引いた数）が規定されている。
【０１４４】
図１８Ｃは、スライスヘッダのシンタックスを示す図である。このスライスヘッダは、シンタックスの一部ｄ２に示すように、上述の参照インデックスの保持し得る数をスライスごとに書き換え可能に構成されている。また、このスライスヘッダには、シンタックスの他の部分ｄ３に示すように、上述のピクチャヘッダに規定された初期ＱＰからのＱＰの差分値が規定されている。
【０１４５】
図１９Ａは、ＣＵのシンタックスを示す図である。このＣＵでは、シンタックスの一部ｄ４およびｄ５に示すように、そのＣＵに対するＰＵおよびＴＵが規定されている。
【０１４６】
図１９Ｂは、ＰＵのシンタックスを示す図である。このＰＵは、シンタックスの一部ｄ６およびｄ８に示すように、参照方向ごとに参照インデックスを有し、さらに、シンタックスの他の部分ｄ７およびｄ９に示すように、参照方向ごとに適応動きベクトル解像度切換フラグ（mvres）を有している。
【０１４７】
図１９Ｃは、ＴＵのシンタックスを示す図である。このＴＵは、シンタックスの一部ｄ１０に示すように、差分画像が直交変換されて量子化された係数（変換係数）を有する。
【０１４８】
（実施の形態２）
上記各実施の形態で示した画像符号化方法または画像復号方法の構成を実現するためのプログラムを記憶メディアに記録することにより、上記各実施の形態で示した処理を独立したコンピュータシステムにおいて簡単に実施することが可能となる。記憶メディアは、磁気ディスク、光ディスク、光磁気ディスク、ＩＣカード、半導体メモリ等、プログラムを記録できるものであればよい。
【０１４９】
さらにここで、上記各実施の形態で示した画像符号化方法や画像復号方法の応用例とそれを用いたシステムを説明する。
【０１５０】
図２０は、コンテンツ配信サービスを実現するコンテンツ供給システムex１００の全体構成を示す図である。通信サービスの提供エリアを所望の大きさに分割し、各セル内にそれぞれ固定無線局である基地局ex１０６、ex１０７、ex１０８、ex１０９、ex１１０が設置されている。
【０１５１】
このコンテンツ供給システムex１００は、インターネットex１０１にインターネットサービスプロバイダex１０２および電話網ex１０４、および基地局ex１０６からex１１０を介して、コンピュータex１１１、ＰＤＡ（Personal Digital Assistant）ex１１２、カメラex１１３、携帯電話ex１１４、ゲーム機ex１１５などの各機器が接続される。
【０１５２】
しかし、コンテンツ供給システムex１００は図２０のような構成に限定されず、いずれかの要素を組合せて接続するようにしてもよい。また、固定無線局である基地局ex１０６からex１１０を介さずに、各機器が電話網ex１０４に直接接続されてもよい。また、各機器が近距離無線等を介して直接相互に接続されていてもよい。
【０１５３】
カメラex１１３はデジタルビデオカメラ等の動画撮影が可能な機器であり、カメラex１１６はデジタルカメラ等の静止画撮影、動画撮影が可能な機器である。また、携帯電話ex１１４は、ＧＳＭ（Global System for Mobile Communications）方式、ＣＤＭＡ（Code Division Multiple Access）方式、Ｗ−ＣＤＭＡ（Wideband-Code Division Multiple Access）方式、若しくはＬＴＥ（Long Term Evolution）方式、ＨＳＰＡ(High Speed Packet Access)の携帯電話機、またはＰＨＳ（Personal Handyphone System）等であり、いずれでも構わない。
【０１５４】
コンテンツ供給システムex１００では、カメラex１１３等が基地局ex１０９、電話網ex１０４を通じてストリーミングサーバex１０３に接続されることで、ライブ配信等が可能になる。ライブ配信では、ユーザがカメラex１１３を用いて撮影するコンテンツ（例えば、音楽ライブの映像等）に対して上記各実施の形態で説明したように符号化処理を行い、ストリーミングサーバex１０３に送信する。一方、ストリーミングサーバex１０３は要求のあったクライアントに対して送信されたコンテンツデータをストリーム配信する。クライアントとしては、上記符号化処理されたデータを復号することが可能な、コンピュータex１１１、ＰＤＡex１１２、カメラex１１３、携帯電話ex１１４、ゲーム機ex１１５等がある。配信されたデータを受信した各機器では、受信したデータを復号処理して再生する。
【０１５５】
なお、撮影したデータの符号化処理はカメラex１１３で行っても、データの送信処理をするストリーミングサーバex１０３で行ってもよいし、互いに分担して行ってもよい。同様に配信されたデータの復号処理はクライアントで行っても、ストリーミングサーバex１０３で行ってもよいし、互いに分担して行ってもよい。また、カメラex１１３に限らず、カメラex１１６で撮影した静止画像および／または動画像データを、コンピュータex１１１を介してストリーミングサーバex１０３に送信してもよい。この場合の符号化処理はカメラex１１６、コンピュータex１１１、ストリーミングサーバex１０３のいずれで行ってもよいし、互いに分担して行ってもよい。
【０１５６】
また、これら符号化・復号処理は、一般的にコンピュータex１１１や各機器が有するＬＳＩex５００において処理する。ＬＳＩex５００は、ワンチップであっても複数チップからなる構成であってもよい。なお、動画像符号化・復号用のソフトウェアをコンピュータex１１１等で読み取り可能な何らかの記録メディア（ＣＤ−ＲＯＭ、フレキシブルディスク、ハードディスクなど）に組み込み、そのソフトウェアを用いて符号化・復号処理を行ってもよい。さらに、携帯電話ex１１４がカメラ付きである場合には、そのカメラで取得した動画データを送信してもよい。このときの動画データは携帯電話ex１１４が有するＬＳＩex５００で符号化処理されたデータである。
【０１５７】
また、ストリーミングサーバex１０３は複数のサーバや複数のコンピュータであって、データを分散して処理したり記録したり配信するものであってもよい。
【０１５８】
以上のようにして、コンテンツ供給システムex１００では、符号化されたデータをクライアントが受信して再生することができる。このようにコンテンツ供給システムex１００では、ユーザが送信した情報をリアルタイムでクライアントが受信して復号し、再生することができ、特別な権利や設備を有さないユーザでも個人放送を実現できる。
【０１５９】
なお、コンテンツ供給システムex１００の例に限らず、図２１に示すように、デジタル放送用システムex２００にも、上記各実施の形態の少なくとも画像符号化装置または画像復号装置のいずれかを組み込むことができる。具体的には、放送局ex２０１では映像データに音楽データなどが多重化された多重化データが電波を介して通信または衛星ex２０２に伝送される。この映像データは上記各実施の形態で説明した画像符号化方法により符号化されたデータである。これを受けた放送衛星ex２０２は、放送用の電波を発信し、この電波を衛星放送の受信が可能な家庭のアンテナex２０４が受信する。受信した多重化データを、テレビ（受信機）ex３００またはセットトップボックス（ＳＴＢ）ex２１７等の装置が復号して再生する。
【０１６０】
また、ＤＶＤ、ＢＤ等の記録メディアex２１５に記録した多重化データを読み取り復号する、または記録メディアex２１５に映像信号を符号化し、さらに場合によっては音楽信号と多重化して書き込むリーダ／レコーダex２１８にも上記各実施の形態で示した画像復号装置または画像符号化装置を実装することが可能である。この場合、再生された映像信号はモニタex２１９に表示され、多重化データが記録された記録メディアex２１５により他の装置やシステムにおいて映像信号を再生することができる。また、ケーブルテレビ用のケーブルex２０３または衛星／地上波放送のアンテナex２０４に接続されたセットトップボックスex２１７内に画像復号装置を実装し、これをテレビのモニタex２１９で表示してもよい。このときセットトップボックスではなく、テレビ内に画像復号装置を組み込んでもよい。
【０１６１】
図２２は、上記各実施の形態で説明した画像復号方法および画像符号化方法を用いたテレビ（受信機）ex３００を示す図である。テレビex３００は、上記放送を受信するアンテナex２０４またはケーブルex２０３等を介して映像データに音声データが多重化された多重化データを取得、または出力するチューナex３０１と、受信した多重化データを復調する、または外部に送信する多重化データに変調する変調／復調部ex３０２と、復調した多重化データを映像データと、音声データとに分離する、または信号処理部ex３０６で符号化された映像データ、音声データを多重化する多重／分離部ex３０３を備える。
【０１６２】
また、テレビex３００は、音声データ、映像データそれぞれを復号する、またはそれぞれの情報を符号化する音声信号処理部ex３０４、映像信号処理部ex３０５を有する信号処理部ex３０６と、復号した音声信号を出力するスピーカex３０７、復号した映像信号を表示するディスプレイ等の表示部ex３０８を有する出力部ex３０９とを有する。さらに、テレビex３００は、ユーザ操作の入力を受け付ける操作入力部ex３１２等を有するインタフェース部ex３１７を有する。さらに、テレビex３００は、各部を統括的に制御する制御部ex３１０、各部に電力を供給する電源回路部ex３１１を有する。インタフェース部ex３１７は、操作入力部ex３１２以外に、リーダ／レコーダex２１８等の外部機器と接続されるブリッジex３１３、ＳＤカード等の記録メディアex２１６を装着可能とするためのスロット部ex３１４、ハードディスク等の外部記録メディアと接続するためのドライバex３１５、電話網と接続するモデムex３１６等を有していてもよい。なお記録メディアex２１６は、格納する不揮発性／揮発性の半導体メモリ素子により電気的に情報の記録を可能としたものである。テレビex３００の各部は同期バスを介して互いに接続されている。
【０１６３】
まず、テレビex３００がアンテナex２０４等により外部から取得した多重化データを復号し、再生する構成について説明する。テレビex３００は、リモートコントローラex２２０等からのユーザ操作を受け、ＣＰＵ等を有する制御部ex３１０の制御に基づいて、変調／復調部ex３０２で復調した多重化データを多重／分離部ex３０３で分離する。さらにテレビex３００は、分離した音声データを音声信号処理部ex３０４で復号し、分離した映像データを映像信号処理部ex３０５で上記各実施の形態で説明した復号方法を用いて復号する。復号した音声信号、映像信号は、それぞれ出力部ex３０９から外部に向けて出力される。出力する際には、音声信号と映像信号が同期して再生するよう、バッファex３１８、ex３１９等に一旦これらの信号を蓄積するとよい。また、テレビex３００は、放送等からではなく、磁気／光ディスク、ＳＤカード等の記録メディアex２１５、ex２１６から多重化データを読み出してもよい。次に、テレビex３００が音声信号や映像信号を符号化し、外部に送信または記録メディア等に書き込む構成について説明する。テレビex３００は、リモートコントローラex２２０等からのユーザ操作を受け、制御部ex３１０の制御に基づいて、音声信号処理部ex３０４で音声信号を符号化し、映像信号処理部ex３０５で映像信号を上記各実施の形態で説明した符号化方法を用いて符号化する。符号化した音声信号、映像信号は多重／分離部ex３０３で多重化され外部に出力される。多重化する際には、音声信号と映像信号が同期するように、バッファex３２０、ex３２１等に一旦これらの信号を蓄積するとよい。なお、バッファex３１８、ex３１９、ex３２０、ex３２１は図示しているように複数備えていてもよいし、１つ以上のバッファを共有する構成であってもよい。さらに、図示している以外に、例えば変調／復調部ex３０２や多重／分離部ex３０３の間等でもシステムのオーバフロー、アンダーフローを避ける緩衝材としてバッファにデータを蓄積することとしてもよい。
【０１６４】
また、テレビex３００は、放送等や記録メディア等から音声データ、映像データを取得する以外に、マイクやカメラのＡＶ入力を受け付ける構成を備え、それらから取得したデータに対して符号化処理を行ってもよい。なお、ここではテレビex３００は上記の符号化処理、多重化、および外部出力ができる構成として説明したが、これらの処理を行うことはできず、上記受信、復号処理、外部出力のみが可能な構成であってもよい。
【０１６５】
また、リーダ／レコーダex２１８で記録メディアから多重化データを読み出す、または書き込む場合には、上記復号処理または符号化処理はテレビex３００、リーダ／レコーダex２１８のいずれで行ってもよいし、テレビex３００とリーダ／レコーダex２１８が互いに分担して行ってもよい。
【０１６６】
一例として、光ディスクからデータの読み込みまたは書き込みをする場合の情報再生／記録部ex４００の構成を図２３に示す。情報再生／記録部ex４００は、以下に説明する要素ex４０１、ex４０２、ex４０３、ex４０４、ex４０５、ex４０６、ex４０７を備える。光ヘッドex４０１は、光ディスクである記録メディアex２１５の記録面にレーザスポットを照射して情報を書き込み、記録メディアex２１５の記録面からの反射光を検出して情報を読み込む。変調記録部ex４０２は、光ヘッドex４０１に内蔵された半導体レーザを電気的に駆動し記録データに応じてレーザ光の変調を行う。再生復調部ex４０３は、光ヘッドex４０１に内蔵されたフォトディテクタにより記録面からの反射光を電気的に検出した再生信号を増幅し、記録メディアex２１５に記録された信号成分を分離して復調し、必要な情報を再生する。バッファex４０４は、記録メディアex２１５に記録するための情報および記録メディアex２１５から再生した情報を一時的に保持する。ディスクモータex４０５は記録メディアex２１５を回転させる。サーボ制御部ex４０６は、ディスクモータex４０５の回転駆動を制御しながら光ヘッドex４０１を所定の情報トラックに移動させ、レーザスポットの追従処理を行う。システム制御部ex４０７は、情報再生／記録部ex４００全体の制御を行う。上記の読み出しや書き込みの処理はシステム制御部ex４０７が、バッファex４０４に保持された各種情報を利用し、また必要に応じて新たな情報の生成・追加を行うと共に、変調記録部ex４０２、再生復調部ex４０３、サーボ制御部ex４０６を協調動作させながら、光ヘッドex４０１を通して、情報の記録再生を行うことにより実現される。システム制御部ex４０７は例えばマイクロプロセッサで構成され、読み出し書き込みのプログラムを実行することでそれらの処理を実行する。
【０１６７】
以上では、光ヘッドex４０１はレーザスポットを照射するとして説明したが、近接場光を用いてより高密度な記録を行う構成であってもよい。
【０１６８】
図２４に光ディスクである記録メディアex２１５の模式図を示す。記録メディアex２１５の記録面には案内溝（グルーブ）がスパイラル状に形成され、情報トラックex２３０には、予めグルーブの形状の変化によってディスク上の絶対位置を示す番地情報が記録されている。この番地情報はデータを記録する単位である記録ブロックex２３１の位置を特定するための情報を含み、記録や再生を行う装置において情報トラックex２３０を再生し番地情報を読み取ることで記録ブロックを特定することができる。また、記録メディアex２１５は、データ記録領域ex２３３、内周領域ex２３２、外周領域ex２３４を含んでいる。ユーザデータを記録するために用いる領域がデータ記録領域ex２３３であり、データ記録領域ex２３３より内周または外周に配置されている内周領域ex２３２と外周領域ex２３４は、ユーザデータの記録以外の特定用途に用いられる。情報再生／記録部ex４００は、このような記録メディアex２１５のデータ記録領域ex２３３に対して、符号化された音声データ、映像データまたはそれらのデータを多重化した多重化データの読み書きを行う。
【０１６９】
以上では、１層のＤＶＤ、ＢＤ等の光ディスクを例に挙げ説明したが、これらに限ったものではなく、多層構造であって表面以外にも記録可能な光ディスクであってもよい。また、ディスクの同じ場所にさまざまな異なる波長の色の光を用いて情報を記録したり、さまざまな角度から異なる情報の層を記録したりなど、多次元的な記録／再生を行う構造の光ディスクであってもよい。
【０１７０】
また、デジタル放送用システムex２００において、アンテナex２０５を有する車ex２１０で衛星ex２０２等からデータを受信し、車ex２１０が有するカーナビゲーションex２１１等の表示装置に動画を再生することも可能である。なお、カーナビゲーションex２１１の構成は例えば図２２に示す構成のうち、ＧＰＳ受信部を加えた構成が考えられ、同様なことがコンピュータex１１１や携帯電話ex１１４等でも考えられる。
【０１７１】
図２５Ａは、上記実施の形態で説明した画像復号方法および画像符号化方法を用いた携帯電話ex１１４を示す図である。携帯電話ex１１４は、基地局ex１１０との間で電波を送受信するためのアンテナex３５０、映像、静止画を撮ることが可能なカメラ部ex３６５、カメラ部ex３６５で撮像した映像、アンテナex３５０で受信した映像等が復号されたデータを表示する液晶ディスプレイ等の表示部ex３５８を備える。携帯電話ex１１４は、さらに、操作キー部ex３６６を有する本体部、音声を出力するためのスピーカ等である音声出力部ex３５７、音声を入力するためのマイク等である音声入力部ex３５６、撮影した映像、静止画、録音した音声、または受信した映像、静止画、メール等の符号化されたデータもしくは復号されたデータを保存するメモリ部ex３６７、又は同様にデータを保存する記録メディアとのインタフェース部であるスロット部ex３６４を備える。
【０１７２】
さらに、携帯電話ex１１４の構成例について、図２５Ｂを用いて説明する。携帯電話ex１１４は、表示部ex３５８及び操作キー部ex３６６を備えた本体部の各部を統括的に制御する主制御部ex３６０に対して、電源回路部ex３６１、操作入力制御部ex３６２、映像信号処理部ex３５５、カメラインタフェース部ex３６３、ＬＣＤ（Liquid Crystal Display）制御部ex３５９、変調／復調部ex３５２、多重／分離部ex３５３、音声信号処理部ex３５４、スロット部ex３６４、メモリ部ex３６７がバスex３７０を介して互いに接続されている。
【０１７３】
電源回路部ex３６１は、ユーザの操作により終話及び電源キーがオン状態にされると、バッテリパックから各部に対して電力を供給することにより携帯電話ex１１４を動作可能な状態に起動する。
【０１７４】
携帯電話ex１１４は、ＣＰＵ、ＲＯＭ、ＲＡＭ等を有する主制御部ex３６０の制御に基づいて、音声通話モード時に音声入力部ex３５６で収音した音声信号を音声信号処理部ex３５４でデジタル音声信号に変換し、これを変調／復調部ex３５２でスペクトラム拡散処理し、送信／受信部ex３５１でデジタルアナログ変換処理および周波数変換処理を施した後にアンテナex３５０を介して送信する。また携帯電話ex１１４は、音声通話モード時にアンテナex３５０を介して受信した受信データを増幅して周波数変換処理およびアナログデジタル変換処理を施し、変調／復調部ex３５２でスペクトラム逆拡散処理し、音声信号処理部ex３５４でアナログ音声信号に変換した後、これを音声出力部ex３５７から出力する。
【０１７５】
さらにデータ通信モード時に電子メールを送信する場合、本体部の操作キー部ex３６６等の操作によって入力された電子メールのテキストデータは操作入力制御部ex３６２を介して主制御部ex３６０に送出される。主制御部ex３６０は、テキストデータを変調／復調部ex３５２でスペクトラム拡散処理をし、送信／受信部ex３５１でデジタルアナログ変換処理および周波数変換処理を施した後にアンテナex３５０を介して基地局ex１１０へ送信する。電子メールを受信する場合は、受信したデータに対してこのほぼ逆の処理が行われ、表示部ex３５８に出力される。
【０１７６】
データ通信モード時に映像、静止画、または映像と音声を送信する場合、映像信号処理部ex３５５は、カメラ部ex３６５から供給された映像信号を上記各実施の形態で示した画像符号化方法によって圧縮符号化し、符号化された映像データを多重／分離部ex３５３に送出する。また、音声信号処理部ex３５４は、映像、静止画等をカメラ部ex３６５で撮像中に音声入力部ex３５６で収音した音声信号を符号化し、符号化された音声データを多重／分離部ex３５３に送出する。
【０１７７】
多重／分離部ex３５３は、映像信号処理部ex３５５から供給された符号化された映像データと音声信号処理部ex３５４から供給された符号化された音声データを所定の方式で多重化し、その結果得られる多重化データを変調／復調部（変調／復調回路部）ex３５２でスペクトラム拡散処理をし、送信／受信部ex３５１でデジタルアナログ変換処理及び周波数変換処理を施した後にアンテナex３５０を介して送信する。
【０１７８】
データ通信モード時にホームページ等にリンクされた動画像ファイルのデータを受信する場合、または映像およびもしくは音声が添付された電子メールを受信する場合、アンテナex３５０を介して受信された多重化データを復号するために、多重／分離部ex３５３は、多重化データを分離することにより映像データのビットストリームと音声データのビットストリームとに分け、同期バスex３７０を介して符号化された映像データを映像信号処理部ex３５５に供給するとともに、符号化された音声データを音声信号処理部ex３５４に供給する。映像信号処理部ex３５５は、上記各実施の形態で示した画像符号化方法に対応した画像復号方法によって復号することにより映像信号を復号し、ＬＣＤ制御部ex３５９を介して表示部ex３５８から、例えばホームページにリンクされた動画像ファイルに含まれる映像、静止画が表示される。また音声信号処理部ex３５４は、音声信号を復号し、音声出力部ex３５７から音声が出力される。
【０１７９】
また、上記携帯電話ex１１４等の端末は、テレビex３００と同様に、符号化器・復号器を両方持つ送受信型端末の他に、符号化器のみの送信端末、復号器のみの受信端末という３通りの実装形式が考えられる。さらに、デジタル放送用システムex２００において、映像データに音楽データなどが多重化された多重化データを受信、送信するとして説明したが、音声データ以外に映像に関連する文字データなどが多重化されたデータであってもよいし、多重化データではなく映像データ自体であってもよい。
【０１８０】
このように、上記各実施の形態で示した画像符号化方法あるいは画像復号方法を上述したいずれの機器・システムに用いることは可能であり、そうすることで、上記各実施の形態で説明した効果を得ることができる。
【０１８１】
また、本発明はかかる上記実施の形態に限定されるものではなく、本発明の範囲を逸脱することなく種々の変形または修正が可能である。
【０１８２】
（実施の形態３）
上記各実施の形態で示した画像符号化方法または装置と、ＭＰＥＧ−２、ＭＰＥＧ４−ＡＶＣ、ＶＣ−１など異なる規格に準拠した動画像符号化方法または装置とを、必要に応じて適宜切替えることにより、映像データを生成することも可能である。
【０１８３】
ここで、それぞれ異なる規格に準拠する複数の映像データを生成した場合、復号する際に、それぞれの規格に対応した復号方法を選択する必要がある。しかしながら、復号する映像データが、どの規格に準拠するものであるか識別できないため、適切な復号方法を選択することができないという課題を生じる。
【０１８４】
この課題を解決するために、映像データに音声データなどを多重化した多重化データは、映像データがどの規格に準拠するものであるかを示す識別情報を含む構成とする。上記各実施の形態で示す画像符号化方法または装置によって生成された映像データを含む多重化データの具体的な構成を以下説明する。多重化データは、ＭＰＥＧ−２トランスポートストリーム形式のデジタルストリームである。
【０１８５】
図２６は、多重化データの構成を示す図である。図２６に示すように多重化データは、ビデオストリーム、オーディオストリーム、プレゼンテーショングラフィックスストリーム（ＰＧ）、インタラクティブグラフィックスストリームのうち、１つ以上を多重化することで得られる。ビデオストリームは映画の主映像および副映像を、オーディオストリーム（ＩＧ）は映画の主音声部分とその主音声とミキシングする副音声を、プレゼンテーショングラフィックスストリームは、映画の字幕をそれぞれ示している。ここで主映像とは画面に表示される通常の映像を示し、副映像とは主映像の中に小さな画面で表示する映像のことである。また、インタラクティブグラフィックスストリームは、画面上にＧＵＩ部品を配置することにより作成される対話画面を示している。ビデオストリームは、上記各実施の形態で示した画像符号化方法または装置、従来のＭＰＥＧ−２、ＭＰＥＧ４−ＡＶＣ、ＶＣ−１などの規格に準拠した動画像符号化方法または装置によって符号化されている。オーディオストリームは、ドルビーＡＣ−３、Ｄｏｌｂｙ  Ｄｉｇｉｔａｌ  Ｐｌｕｓ、ＭＬＰ、ＤＴＳ、ＤＴＳ−ＨＤ、または、リニアＰＣＭのなどの方式で符号化されている。
【０１８６】
多重化データに含まれる各ストリームはＰＩＤによって識別される。例えば、映画の映像に利用するビデオストリームには０ｘ１０１１が、オーディオストリームには０ｘ１１００から０ｘ１１１Ｆまでが、プレゼンテーショングラフィックスには０ｘ１２００から０ｘ１２１Ｆまでが、インタラクティブグラフィックスストリームには０ｘ１４００から０ｘ１４１Ｆまでが、映画の副映像に利用するビデオストリームには０ｘ１Ｂ００から０ｘ１Ｂ１Ｆまで、主音声とミキシングする副音声に利用するオーディオストリームには０ｘ１Ａ００から０ｘ１Ａ１Ｆが、それぞれ割り当てられている。
【０１８７】
図２７は、多重化データがどのように多重化されるかを模式的に示す図である。まず、複数のビデオフレームからなるビデオストリームex２３５、複数のオーディオフレームからなるオーディオストリームex２３８を、それぞれＰＥＳパケット列ex２３６およびex２３９に変換し、ＴＳパケットex２３７およびex２４０に変換する。同じくプレゼンテーショングラフィックスストリームex２４１およびインタラクティブグラフィックスex２４４のデータをそれぞれＰＥＳパケット列ex２４２およびex２４５に変換し、さらにＴＳパケットex２４３およびex２４６に変換する。多重化データex２４７はこれらのＴＳパケットを１本のストリームに多重化することで構成される。
【０１８８】
図２８は、ＰＥＳパケット列に、ビデオストリームがどのように格納されるかをさらに詳しく示している。図２８における第１段目はビデオストリームのビデオフレーム列を示す。第２段目は、ＰＥＳパケット列を示す。図２８の矢印ｙｙ１，ｙｙ２，  ｙｙ３，  ｙｙ４に示すように、ビデオストリームにおける複数のＶｉｄｅｏ  Ｐｒｅｓｅｎｔａｔｉｏｎ  ＵｎｉｔであるＩピクチャ、Ｂピクチャ、Ｐピクチャは、ピクチャ毎に分割され、ＰＥＳパケットのペイロードに格納される。各ＰＥＳパケットはＰＥＳヘッダを持ち、ＰＥＳヘッダには、ピクチャの表示時刻であるＰＴＳ（Ｐｒｅｓｅｎｔａｔｉｏｎ  Ｔｉｍｅ−Ｓｔａｍｐ）やピクチャの復号時刻であるＤＴＳ（Ｄｅｃｏｄｉｎｇ  Ｔｉｍｅ−Ｓｔａｍｐ）が格納される。
【０１８９】
図２９は、多重化データに最終的に書き込まれるＴＳパケットの形式を示している。ＴＳパケットは、ストリームを識別するＰＩＤなどの情報を持つ４ＢｙｔｅのＴＳヘッダとデータを格納する１８４ＢｙｔｅのＴＳペイロードから構成される１８８Ｂｙｔｅ固定長のパケットであり、上記ＰＥＳパケットは分割されＴＳペイロードに格納される。ＢＤ−ＲＯＭの場合、ＴＳパケットには、４ＢｙｔｅのＴＰ＿Ｅｘｔｒａ＿Ｈｅａｄｅｒが付与され、１９２Ｂｙｔｅのソースパケットを構成し、多重化データに書き込まれる。ＴＰ＿Ｅｘｔｒａ＿ＨｅａｄｅｒにはＡＴＳ（Ａｒｒｉｖａｌ＿Ｔｉｍｅ＿Ｓｔａｍｐ）などの情報が記載される。ＡＴＳは当該ＴＳパケットのデコーダのＰＩＤフィルタへの転送開始時刻を示す。多重化データには図２９下段に示すようにソースパケットが並ぶこととなり、多重化データの先頭からインクリメントする番号はＳＰＮ（ソースパケットナンバー）と呼ばれる。
【０１９０】
また、多重化データに含まれるＴＳパケットには、映像・音声・字幕などの各ストリーム以外にもＰＡＴ（Ｐｒｏｇｒａｍ  Ａｓｓｏｃｉａｔｉｏｎ  Ｔａｂｌｅ）、ＰＭＴ（Ｐｒｏｇｒａｍ  Ｍａｐ  Ｔａｂｌｅ）、ＰＣＲ（Ｐｒｏｇｒａｍ  Ｃｌｏｃｋ  Ｒｅｆｅｒｅｎｃｅ）などがある。ＰＡＴは多重化データ中に利用されるＰＭＴのＰＩＤが何であるかを示し、ＰＡＴ自身のＰＩＤは０で登録される。ＰＭＴは、多重化データ中に含まれる映像・音声・字幕などの各ストリームのＰＩＤと各ＰＩＤに対応するストリームの属性情報を持ち、また多重化データに関する各種ディスクリプタを持つ。ディスクリプタには多重化データのコピーを許可・不許可を指示するコピーコントロール情報などがある。ＰＣＲは、ＡＴＳの時間軸であるＡＴＣ（Ａｒｒｉｖａｌ  Ｔｉｍｅ  Ｃｌｏｃｋ）とＰＴＳ・ＤＴＳの時間軸であるＳＴＣ（Ｓｙｓｔｅｍ  Ｔｉｍｅ  Ｃｌｏｃｋ）の同期を取るために、そのＰＣＲパケットがデコーダに転送されるＡＴＳに対応するＳＴＣ時間の情報を持つ。
【０１９１】
図３０はＰＭＴのデータ構造を詳しく説明する図である。ＰＭＴの先頭には、そのＰＭＴに含まれるデータの長さなどを記したＰＭＴヘッダが配置される。その後ろには、多重化データに関するディスクリプタが複数配置される。上記コピーコントロール情報などが、ディスクリプタとして記載される。ディスクリプタの後には、多重化データに含まれる各ストリームに関するストリーム情報が複数配置される。ストリーム情報は、ストリームの圧縮コーデックなどを識別するためストリームタイプ、ストリームのＰＩＤ、ストリームの属性情報（フレームレート、アスペクト比など）が記載されたストリームディスクリプタから構成される。ストリームディスクリプタは多重化データに存在するストリームの数だけ存在する。
【０１９２】
記録媒体などに記録する場合には、上記多重化データは、多重化データ情報ファイルと共に記録される。
【０１９３】
多重化データ情報ファイルは、図３１に示すように多重化データの管理情報であり、多重化データと１対１に対応し、多重化データ情報、ストリーム属性情報とエントリマップから構成される。
【０１９４】
多重化データ情報は図３１に示すようにシステムレート、再生開始時刻、再生終了時刻から構成されている。システムレートは多重化データの、後述するシステムターゲットデコーダのＰＩＤフィルタへの最大転送レートを示す。多重化データ中に含まれるＡＴＳの間隔はシステムレート以下になるように設定されている。再生開始時刻は多重化データの先頭のビデオフレームのＰＴＳであり、再生終了時刻は多重化データの終端のビデオフレームのＰＴＳに１フレーム分の再生間隔を足したものが設定される。
【０１９５】
ストリーム属性情報は図３２に示すように、多重化データに含まれる各ストリームについての属性情報が、ＰＩＤ毎に登録される。属性情報はビデオストリーム、オーディオストリーム、プレゼンテーショングラフィックスストリーム、インタラクティブグラフィックスストリーム毎に異なる情報を持つ。ビデオストリーム属性情報は、そのビデオストリームがどのような圧縮コーデックで圧縮されたか、ビデオストリームを構成する個々のピクチャデータの解像度がどれだけであるか、アスペクト比はどれだけであるか、フレームレートはどれだけであるかなどの情報を持つ。オーディオストリーム属性情報は、そのオーディオストリームがどのような圧縮コーデックで圧縮されたか、そのオーディオストリームに含まれるチャンネル数は何であるか、何の言語に対応するか、サンプリング周波数がどれだけであるかなどの情報を持つ。これらの情報は、プレーヤが再生する前のデコーダの初期化などに利用される。
【０１９６】
本実施の形態においては、上記多重化データのうち、ＰＭＴに含まれるストリームタイプを利用する。また、記録媒体に多重化データが記録されている場合には、多重化データ情報に含まれる、ビデオストリーム属性情報を利用する。具体的には、上記各実施の形態で示した画像符号化方法または装置において、ＰＭＴに含まれるストリームタイプ、または、ビデオストリーム属性情報に対し、上記各実施の形態で示した画像符号化方法または装置によって生成された映像データであることを示す固有の情報を設定するステップまたは手段を設ける。この構成により、上記各実施の形態で示した画像符号化方法または装置によって生成した映像データと、他の規格に準拠する映像データとを識別することが可能になる。
【０１９７】
また、本実施の形態における画像復号方法のステップを図３３に示す。ステップexＳ１００において、多重化データからＰＭＴに含まれるストリームタイプ、または、多重化データ情報に含まれるビデオストリーム属性情報を取得する。次に、ステップexＳ１０１において、ストリームタイプ、または、ビデオストリーム属性情報が上記各実施の形態で示した画像符号化方法または装置によって生成された多重化データであることを示しているか否かを判断する。そして、ストリームタイプ、または、ビデオストリーム属性情報が上記各実施の形態で示した画像符号化方法または装置によって生成されたものであると判断された場合には、ステップexＳ１０２において、上記各実施の形態で示した画像復号方法により復号を行う。また、ストリームタイプ、または、ビデオストリーム属性情報が、従来のＭＰＥＧ−２、ＭＰＥＧ４−ＡＶＣ、ＶＣ−１などの規格に準拠するものであることを示している場合には、ステップexＳ１０３において、従来の規格に準拠した動画像復号方法により復号を行う。
【０１９８】
このように、ストリームタイプ、または、ビデオストリーム属性情報に新たな固有値を設定することにより、復号する際に、上記各実施の形態で示した画像復号方法または装置で復号可能であるかを判断することができる。従って、異なる規格に準拠する多重化データが入力された場合であっても、適切な復号方法または装置を選択することができるため、エラーを生じることなく復号することが可能となる。また、本実施の形態で示した画像符号化方法または装置、または、画像復号方法または装置を、上述したいずれの機器・システムに用いることも可能である。
【０１９９】
（実施の形態４）
上記各実施の形態で示した画像符号化方法および装置、画像復号方法および装置は、典型的には集積回路であるＬＳＩで実現される。一例として、図３４に１チップ化されたＬＳＩex５００の構成を示す。ＬＳＩex５００は、以下に説明する要素ex５０１、ex５０２、ex５０３、ex５０４、ex５０５、ex５０６、ex５０７、ex５０８、ex５０９を備え、各要素はバスex５１０を介して接続している。電源回路部ex５０５は電源がオン状態の場合に各部に対して電力を供給することで動作可能な状態に起動する。
【０２００】
例えば符号化処理を行う場合には、ＬＳＩex５００は、ＣＰＵex５０２、メモリコントローラex５０３、ストリームコントローラex５０４、駆動周波数制御部ex５１２等を有する制御部ex５０１の制御に基づいて、ＡＶ  Ｉ／Ｏex５０９によりマイクex１１７やカメラex１１３等からＡＶ信号を入力する。入力されたＡＶ信号は、一旦ＳＤＲＡＭ等の外部のメモリex５１１に蓄積される。制御部ex５０１の制御に基づいて、蓄積したデータは処理量や処理速度に応じて適宜複数回に分けるなどされ信号処理部ex５０７に送られ、信号処理部ex５０７において音声信号の符号化および／または映像信号の符号化が行われる。ここで映像信号の符号化処理は上記各実施の形態で説明した符号化処理である。信号処理部ex５０７ではさらに、場合により符号化された音声データと符号化された映像データを多重化するなどの処理を行い、ストリームＩ／Ｏex５０６から外部に出力する。この出力された多重化データは、基地局ex１０７に向けて送信されたり、または記録メディアex２１５に書き込まれたりする。なお、多重化する際には同期するよう、一旦バッファex５０８にデータを蓄積するとよい。
【０２０１】
なお、上記では、メモリex５１１がＬＳＩex５００の外部の構成として説明したが、ＬＳＩex５００の内部に含まれる構成であってもよい。バッファex５０８も１つに限ったものではなく、複数のバッファを備えていてもよい。また、ＬＳＩex５００は１チップ化されてもよいし、複数チップ化されてもよい。
【０２０２】
また、上記では、制御部ex５０１が、ＣＰＵex５０２、メモリコントローラex５０３、ストリームコントローラex５０４、駆動周波数制御部ex５１２等を有するとしているが、制御部ex５０１の構成は、この構成に限らない。例えば、信号処理部ex５０７がさらにＣＰＵを備える構成であってもよい。信号処理部ex５０７の内部にもＣＰＵを設けることにより、処理速度をより向上させることが可能になる。また、他の例として、ＣＰＵex５０２が信号処理部ex５０７、または信号処理部ex５０７の一部である例えば音声信号処理部を備える構成であってもよい。このような場合には、制御部ex５０１は、信号処理部ex５０７、またはその一部を有するＣＰＵex５０２を備える構成となる。
【０２０３】
なお、ここでは、ＬＳＩとしたが、集積度の違いにより、ＩＣ、システムＬＳＩ、スーパーＬＳＩ、ウルトラＬＳＩと呼称されることもある。
【０２０４】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【０２０５】
さらには、半導体技術の進歩または派生する別技術によりＬＳＩに置き換わる集積回路化の技術が登場すれば、当然、その技術を用いて機能ブロックの集積化を行ってもよい。バイオ技術の適応等が可能性としてありえる。
【０２０６】
（実施の形態５）
上記各実施の形態で示した画像符号化方法または装置によって生成された映像データを復号する場合、従来のＭＰＥＧ−２、ＭＰＥＧ４−ＡＶＣ、ＶＣ−１などの規格に準拠する映像データを復号する場合に比べ、処理量が増加することが考えられる。そのため、ＬＳＩex５００において、従来の規格に準拠する映像データを復号する際のＣＰＵex５０２の駆動周波数よりも高い駆動周波数に設定する必要がある。しかし、駆動周波数を高くすると、消費電力が高くなるという課題が生じる。
【０２０７】
この課題を解決するために、テレビex３００、ＬＳＩex５００などの動画像復号装置は、映像データがどの規格に準拠するものであるかを識別し、規格に応じて駆動周波数を切替える構成とする。図３５は、本実施の形態における構成ex８００を示している。駆動周波数切替え部ex８０３は、映像データが、上記各実施の形態で示した画像符号化方法または装置によって生成されたものである場合には、駆動周波数を高く設定する。そして、上記各実施の形態で示した画像復号方法を実行する復号処理部ex８０１に対し、映像データを復号するよう指示する。一方、映像データが、従来の規格に準拠する映像データである場合には、映像データが、上記各実施の形態で示した画像符号化方法または装置によって生成されたものである場合に比べ、駆動周波数を低く設定する。そして、従来の規格に準拠する復号処理部ex８０２に対し、映像データを復号するよう指示する。
【０２０８】
より具体的には、駆動周波数切替え部ex８０３は、図３４のＣＰＵex５０２と駆動周波数制御部ex５１２から構成される。また、上記各実施の形態で示した画像復号方法を実行する復号処理部ex８０１、および、従来の規格に準拠する復号処理部ex８０２は、図３４の信号処理部ex５０７に該当する。ＣＰＵex５０２は、映像データがどの規格に準拠するものであるかを識別する。そして、ＣＰＵex５０２からの信号に基づいて、駆動周波数制御部ex５１２は、駆動周波数を設定する。また、ＣＰＵex５０２からの信号に基づいて、信号処理部ex５０７は、映像データの復号を行う。ここで、映像データの識別には、例えば、実施の形態３で記載した識別情報を利用することが考えられる。識別情報に関しては、実施の形態３で記載したものに限られず、映像データがどの規格に準拠するか識別できる情報であればよい。例えば、映像データがテレビに利用されるものであるか、ディスクに利用されるものであるかなどを識別する外部信号に基づいて、映像データがどの規格に準拠するものであるか識別可能である場合には、このような外部信号に基づいて識別してもよい。また、ＣＰＵex５０２における駆動周波数の選択は、例えば、図３７のような映像データの規格と、駆動周波数とを対応付けたルックアップテーブルに基づいて行うことが考えられる。ルックアップテーブルを、バッファex５０８や、ＬＳＩの内部メモリに格納しておき、ＣＰＵex５０２がこのルックアップテーブルを参照することにより、駆動周波数を選択することが可能である。
【０２０９】
図３６は、本実施の形態の方法を実施するステップを示している。まず、ステップexＳ２００では、信号処理部ex５０７において、多重化データから識別情報を取得する。次に、ステップexＳ２０１では、ＣＰＵex５０２において、識別情報に基づいて映像データが上記各実施の形態で示した符号化方法または装置によって生成されたものであるか否かを識別する。映像データが上記各実施の形態で示した符号化方法または装置によって生成されたものである場合には、ステップexＳ２０２において、駆動周波数を高く設定する信号を、ＣＰＵex５０２が駆動周波数制御部ex５１２に送る。そして、駆動周波数制御部ex５１２において、高い駆動周波数に設定される。一方、従来のＭＰＥＧ−２、ＭＰＥＧ４−ＡＶＣ、ＶＣ−１などの規格に準拠する映像データであることを示している場合には、ステップexＳ２０３において、駆動周波数を低く設定する信号を、ＣＰＵex５０２が駆動周波数制御部ex５１２に送る。そして、駆動周波数制御部ex５１２において、映像データが上記各実施の形態で示した符号化方法または装置によって生成されたものである場合に比べ、低い駆動周波数に設定される。
【０２１０】
さらに、駆動周波数の切替えに連動して、ＬＳＩex５００またはＬＳＩex５００を含む装置に与える電圧を変更することにより、省電力効果をより高めることが可能である。例えば、駆動周波数を低く設定する場合には、これに伴い、駆動周波数を高く設定している場合に比べ、ＬＳＩex５００またはＬＳＩex５００を含む装置に与える電圧を低く設定することが考えられる。
【０２１１】
また、駆動周波数の設定方法は、復号する際の処理量が大きい場合に、駆動周波数を高く設定し、復号する際の処理量が小さい場合に、駆動周波数を低く設定すればよく、上述した設定方法に限らない。例えば、ＭＰＥＧ４−ＡＶＣ規格に準拠する映像データを復号する処理量の方が、上記各実施の形態で示した画像符号化方法または装置により生成された映像データを復号する処理量よりも大きい場合には、駆動周波数の設定を上述した場合の逆にすることが考えられる。
【０２１２】
さらに、駆動周波数の設定方法は、駆動周波数を低くする構成に限らない。例えば、識別情報が、上記各実施の形態で示した画像符号化方法または装置によって生成された映像データであることを示している場合には、ＬＳＩex５００またはＬＳＩex５００を含む装置に与える電圧を高く設定し、従来のＭＰＥＧ−２、ＭＰＥＧ４−ＡＶＣ、ＶＣ−１などの規格に準拠する映像データであることを示している場合には、ＬＳＩex５００またはＬＳＩex５００を含む装置に与える電圧を低く設定することも考えられる。また、他の例としては、識別情報が、上記各実施の形態で示した画像符号化方法または装置によって生成された映像データであることを示している場合には、ＣＰＵex５０２の駆動を停止させることなく、従来のＭＰＥＧ−２、ＭＰＥＧ４−ＡＶＣ、ＶＣ−１などの規格に準拠する映像データであることを示している場合には、処理に余裕があるため、ＣＰＵex５０２の駆動を一時停止させることも考えられる。識別情報が、上記各実施の形態で示した画像符号化方法または装置によって生成された映像データであることを示している場合であっても、処理に余裕があれば、ＣＰＵex５０２の駆動を一時停止させることも考えられる。この場合は、従来のＭＰＥＧ−２、ＭＰＥＧ４−ＡＶＣ、ＶＣ−１などの規格に準拠する映像データであることを示している場合に比べて、停止時間を短く設定することが考えられる。
【０２１３】
このように、映像データが準拠する規格に応じて、駆動周波数を切替えることにより、省電力化を図ることが可能になる。また、電池を用いてＬＳＩex５００またはＬＳＩex５００を含む装置を駆動している場合には、省電力化に伴い、電池の寿命を長くすることが可能である。
【０２１４】
（実施の形態６）
テレビや、携帯電話など、上述した機器・システムには、異なる規格に準拠する複数の映像データが入力される場合がある。このように、異なる規格に準拠する複数の映像データが入力された場合にも復号できるようにするために、ＬＳＩex５００の信号処理部ex５０７が複数の規格に対応している必要がある。しかし、それぞれの規格に対応する信号処理部ex５０７を個別に用いると、ＬＳＩex５００の回路規模が大きくなり、また、コストが増加するという課題が生じる。
【０２１５】
この課題を解決するために、上記各実施の形態で示した画像復号方法を実行するための復号処理部と、従来のＭＰＥＧ−２、ＭＰＥＧ４−ＡＶＣ、ＶＣ−１などの規格に準拠する復号処理部とを一部共有化する構成とする。この構成例を図３８Ａのex９００に示す。例えば、上記各実施の形態で示した画像復号方法と、ＭＰＥＧ４−ＡＶＣ規格に準拠する動画像復号方法とは、エントロピー符号化、逆量子化、デブロッキングフィルタ、動き補償などの処理において処理内容が一部共通する。共通する処理内容については、ＭＰＥＧ４−ＡＶＣ規格に対応する復号処理部ex９０２を共有し、ＭＰＥＧ４−ＡＶＣ規格に対応しない、本発明特有の他の処理内容については、専用の復号処理部ex９０１を用いるという構成が考えられる。復号処理部の共有化に関しては、共通する処理内容については、上記各実施の形態で示した画像復号方法を実行するための復号処理部を共有し、ＭＰＥＧ４−ＡＶＣ規格に特有の処理内容については、専用の復号処理部を用いる構成であってもよい。
【０２１６】
また、処理を一部共有化する他の例を図３８Ｂのex１０００に示す。この例では、本発明に特有の処理内容に対応した専用の復号処理部ex１００１と、他の従来規格に特有の処理内容に対応した専用の復号処理部ex１００２と、本発明の画像復号方法と他の従来規格の動画像復号方法とに共通する処理内容に対応した共用の復号処理部ex１００３とを用いる構成としている。ここで、専用の復号処理部ex１００１、ex１００２は、必ずしも本発明、または、他の従来規格に特有の処理内容に特化したものではなく、他の汎用処理を実行できるものであってもよい。また、本実施の形態の構成を、ＬＳＩex５００で実装することも可能である。
【０２１７】
このように、本発明の画像復号方法と、従来の規格の動画像復号方法とで共通する処理内容について、復号処理部を共有することにより、ＬＳＩの回路規模を小さくし、かつ、コストを低減することが可能である。
【産業上の利用可能性】
【０２１８】
本発明に係る画像復号方法および画像符号化方法は、画質の向上および符号化効率の向上の両立を図ることができるという効果を奏し、例えば、ビデオカメラ、動画の撮影および再生機能を有する携帯電話、パーソナルコンピュータ、または録画再生装置などに適用することができる。
【符号の説明】
【０２１９】
１０００    画像符号化装置
１１００    符号化処理部
１１０１    減算器
１１０２    直交変換部
１１０３    量子化部
１１０４    エントロピー符号化部
１１０５    逆量子化部
１１０６    逆直交変換部
１１０７    加算器
１１０８    デブロッキングフィルタ
１１０９    メモリ
１１１０    面内予測部
１１１１    動き補償部
１１１２    動き検出部
１１１３    スイッチ
１２００    符号化制御部
２０００    画像復号装置
２１００    復号処理部
２１０１    エントロピー復号部
２１０２    逆量子化部
２１０３    逆直交変換部
２１０４    加算器
２１０５    デブロッキングフィルタ
２１０６    メモリ
２１０７    面内予測部
２１０８    動き補償部
２１０９    スイッチ
２２００    復号制御部
【図１】
0005894922.tif 000002
【図２】
0005894922.tif 000003
【図３】
0005894922.tif 000004
【図４】
0005894922.tif 000005
【図５】
0005894922.tif 000006
【図６Ａ】
0005894922.tif 000007
【図６Ｂ】
0005894922.tif 000008
【図６Ｃ】
0005894922.tif 000009
【図７】
0005894922.tif 000010
【図８Ａ】
0005894922.tif 000011
【図８Ｂ】
0005894922.tif 000012
【図９Ａ】
0005894922.tif 000013
【図９Ｂ】
0005894922.tif 000014
【図１０Ａ】
0005894922.tif 000015
【図１０Ｂ】
0005894922.tif 000016
【図１０Ｃ】
0005894922.tif 000017
【図１０Ｄ】
0005894922.tif 000018
【図１１】
0005894922.tif 000019
【図１２】
0005894922.tif 000020
【図１３】
0005894922.tif 000021
【図１４】
0005894922.tif 000022
【図１５Ａ】
0005894922.tif 000023
【図１５Ｂ】
0005894922.tif 000024
【図１６Ａ】
0005894922.tif 000025
【図１６Ｂ】
0005894922.tif 000026
【図１７Ａ】
0005894922.tif 000027
【図１７Ｂ】
0005894922.tif 000028
【図１８Ａ】
0005894922.tif 000029
【図１８Ｂ】
0005894922.tif 000030
【図１８Ｃ】
0005894922.tif 000031
【図１９Ａ】
0005894922.tif 000032
【図１９Ｂ】
0005894922.tif 000033
【図１９Ｃ】
0005894922.tif 000034
【図２０】
0005894922.tif 000035
【図２１】
0005894922.tif 000036
【図２２】
0005894922.tif 000037
【図２３】
0005894922.tif 000038
【図２４】
0005894922.tif 000039
【図２５Ａ】
0005894922.tif 000040
【図２５Ｂ】
0005894922.tif 000041
【図２６】
0005894922.tif 000042
【図２７】
0005894922.tif 000043
【図２８】
0005894922.tif 000044
【図２９】
0005894922.tif 000045
【図３０】
0005894922.tif 000046
【図３１】
0005894922.tif 000047
【図３２】
0005894922.tif 000048
【図３３】
0005894922.tif 000049
【図３４】
0005894922.tif 000050
【図３５】
0005894922.tif 000051
【図３６】
0005894922.tif 000052
【図３７】
0005894922.tif 000053
【図３８Ａ】
0005894922.tif 000054
【図３８Ｂ】
0005894922.tif 000055